(57)【要約】【課題】メダルが投入された際に、メイン制御手段及びサブ制御手段を経由せずに発光装置を制御し、発光装置による発光にてメダルが投入されたことを報知可能な回胴式遊技機を提供する。【解決手段】メダルと、前扉と、メダル投入口と、メダルの検知を行い、検知信号を送信するメダル検知センサと、第１制御信号と第２制御信号とを送信するメイン制御手段と、演出信号を送信するサブ制御手段と、第１制御信号を受信したことに基づいて所定の上限に達するまで発光態様を変化させる第１発光装置と、サブ制御手段が第２制御信号を受信したことに基づいて送信する演出信号を受信したことに基づいて発光する第２発光装置と、メイン制御手段及びサブ制御手段を経由せず、検知信号に基づく信号に基づいて、投入されたメダルの１枚毎に発光態様を変化させて発光する第３発光装置と、を備えた。【選択図】図３
2018094289.tif 000002
【特許請求の範囲】
【請求項１】
遊技媒体としてのメダルと、
遊技機の正面側に位置する前扉と、
前記前扉に設けられ、遊技機の内部へ前記メダルを投入するためのメダル投入口と、
前記メダル投入口から投入された前記メダルの検知を行い、当該検知の結果としての検知信号を送信するメダル検知センサと、
遊技の進行に関する制御を行い、前記検知信号に基づく信号としての第１制御信号と、前記第１制御信号と異なる第２制御信号と、を送信するメイン制御手段と、
少なくとも、前記第２制御信号を受信したことに基づいて、演出信号を送信するサブ制御手段と、
前記前扉に設けられ、前記第１制御信号を受信したことに基づいて所定の上限に達するまで発光態様を変化させる第１発光装置と、
前記前扉に設けられ、前記サブ制御手段が前記第２制御信号を受信したことに基づいて送信する前記演出信号を受信したことに基づいて発光する第２発光装置と、
前記前扉に設けられ、前記メイン制御手段及び前記サブ制御手段を経由せず、前記検知信号に基づく信号に基づいて、投入された前記メダルの１枚毎に発光態様を変化させて発光する第３発光装置と、を備えたことを特徴とする回胴式遊技機。
【請求項２】
前記第３発光装置は、前記メダルが１枚投入される毎に光の三原色を一定の順序で発光させており、前記メダル検知センサが３枚の前記メダルの検知を行うことを１周期として、１周期単位で前記一定の順序の発光を繰り返すことを特徴とする請求項１に記載の回胴式遊技機。
【請求項３】
前記検知信号を受信し、前記第３発光装置に第１規定時間、発光信号を送信する発光制御手段を備え、
前記第３発光装置は、前記発光信号を受信したことに基づいて発光し、前記第１規定時間の経過後、前記発光制御手段が前記発光信号の送信を停止することにより、発光を停止することを特徴とする請求項１又は２に記載の回胴式遊技機。
【請求項４】
前記発光制御手段は、前記検知信号を受信した際、前記第３発光装置の前回の発光時から第２規定時間を経過していない場合は、前記第２規定時間の経過後、前記発光信号の送信を開始することを特徴とする請求項３に記載の回胴式遊技機。
【請求項５】
前記発光制御手段は、前記検知信号を受信した際、前記第３発光装置の前回の発光時から第２規定時間を経過していない場合は、前記第１規定時間に所定の加算時間を加えた特別第１規定時間、前記発光信号を送信することを特徴とする請求項３に記載の回胴式遊技機。
【請求項６】
少なくとも前記サブ制御手段に接続され、前記第３発光装置による発光を受光する受光手段を備え、
前記サブ制御手段は、前記受光手段が第３規定時間以上、規定パターンを受光していると判定した場合には、エラー状態にあることを報知することを特徴とする請求項２、３、４又は５に記載の回胴式遊技機。
【請求項７】
前記前扉には、
前記メダル検知センサからの前記検知信号を受信したことに基づいて前記メイン制御手段により前記第１制御信号が前記サブ制御手段に送信され、当該第１制御信号を受信したことに基づいて当該サブ制御手段により送信される前記演出信号に基づいて前記メダルの投入音を発するスピーカーを備えたことを特徴とする請求項１、２、３、４、５又は６に記載の回胴式遊技機。
【請求項８】
遊技媒体としてのメダルと、
遊技機の正面側に位置する前扉と、
前記前扉に設けられ、遊技機の内部へ前記メダルを投入するためのメダル投入口と、
前記メダル投入口から投入された前記メダルの検知を行い、当該検知の結果としての検知信号を送信するメダル検知センサと、
遊技の進行に関する制御を行い、前記検知信号を受信して、制御信号を送信するメイン制御手段と、
前記制御信号を受信したことに基づいて、演出信号を送信するサブ制御手段と、
前記前扉に設けられ、少なくとも前記演出信号を受信したことに基づいて発光する発光装置と、を備え、
前記発光装置は、前記検知信号に基づく信号を受信した場合に投入された前記メダルの１枚毎に発光態様を変化させるとともに、前記メイン制御手段及び前記サブ制御手段を経由せず、前記検知信号に基づく信号に基づいて発光可能なことを特徴とする回胴式遊技機。
【請求項９】
前記発光装置は、前記メダルが１枚投入される毎に光の三原色を一定の順序で発光させており、前記メダル検知センサが３枚の前記メダルの検知を行うことを１周期として、１周期単位で前記一定の順序の発光を繰り返すことを特徴とする請求項８に記載の回胴式遊技機。
【請求項１０】
前記検知信号を受信し、前記発光装置に第１規定時間、発光信号を送信する発光制御手段を備え、
前記発光装置は、前記発光信号を受信したことに基づいて発光し、前記第１規定時間の経過後、前記発光制御手段が前記発光信号の送信を停止することにより、発光を停止することを特徴とする請求項８又は９に記載の回胴式遊技機。
【請求項１１】
前記発光制御手段は、前記検知信号を受信した際、前記発光装置の前回の発光時から第２規定時間を経過していない場合は、前記第２規定時間の経過後、前記発光信号の送信を開始することを特徴とする請求項１０に記載の回胴式遊技機。
【請求項１２】
前記発光制御手段は、前記検知信号を受信した際、前記発光装置の前回の発光時から第２規定時間を経過していない場合は、前記第１規定時間に所定の加算時間を加えた特別第１規定時間、前記発光信号を送信することを特徴とする請求項１０に記載の回胴式遊技機。
【請求項１３】
少なくとも前記サブ制御手段に接続され、前記発光装置による発光を受光する受光手段を備え、
前記サブ制御手段は、前記受光手段が第３規定時間以上、規定パターンを受光していると判定した場合には、エラー状態にあることを報知することを特徴とする請求項９、１０、１１又は１２に記載の回胴式遊技機。
【請求項１４】
前記前扉には、
前記メダル検知センサからの前記検知信号を受信したことに基づいて前記メイン制御手段により前記制御信号が前記サブ制御手段に送信され、当該制御信号を受信したことに基づいて当該サブ制御手段により送信される前記演出信号に基づいて前記メダルの投入音を発するスピーカーを備えたことを特徴とする請求項８、９、１０、１１、１２又は１３に記載の回胴式遊技機。
【発明の詳細な説明】
【技術分野】
【０００１】
本発明は、回胴式遊技機に関する。
【背景技術】
【０００２】
従来から、メダル投入口から不正器具を挿入することにより回胴式遊技機に大量のコインが投入されたと誤認させ、不正にメダルのクレジット枚数を増やす不正行為が行われており、このような不正行為を防止する必要がある。
【０００３】
このような不正行為を防止する方法として、たとえば、下記の特許文献１の技術のように、メダルの投入枚数によってＬＥＤの発光色を変化させることにより、その発光色によりメダルの投入枚数を報知する方法が考えられる。また、下記の特許文献２の技術のように、遊技者によるメダルの投入枚数を音によって報知する方法が考えられる。
【先行技術文献】
【特許文献】
【０００４】
【特許文献１】特開２００３−３１０８６９号公報
【特許文献２】特開２００６−７５５１５号公報
【発明の概要】
【発明が解決しようとする課題】
【０００５】
しかし、上記の特許文献１の技術は、いわゆるメインＣＰＵにのみメダル検知センサが接続され、このメインＣＰＵの制御によりＬＥＤを制御するものである。そのため、このメインＣＰＵに不正行為が行われた場合には、投入による発光が誤魔化されるおそれがある。
【０００６】
また、上記の特許文献２の技術は、副制御回路（いわゆるサブ制御手段）が備える音・ランプ制御回路ＣＰＵの制御によりスピーカーを制御するものである。そのため、この副制御回路に不正行為が行われた場合には、投入音が誤魔化されるおそれがある。
【０００７】
そこで、本発明は、メダルが投入された際に、メイン制御手段及びサブ制御手段を経由せずに発光装置を制御し、発光装置による発光にてメダルが投入されたことを報知可能な回胴式遊技機を提供することを目的とする。
【課題を解決するための手段】
【０００８】
上記課題を解決するために、本発明は、以下のような構成を備える。
また、本発明に係る回胴式遊技機10の具体例としては、さらに、遊技媒体としてのメダルと、遊技機の正面側に位置する前扉14と、前記前扉14に設けられ、遊技機の内部へ前記メダルを投入するためのメダル投入口38と、前記メダル投入口38から投入された前記メダルの検知を行い、当該検知の結果としての検知信号を送信するメダル検知センサ92と、遊技の進行に関する制御を行い、前記検知信号に基づく信号としての第１制御信号と、前記第１制御信号と異なる第２制御信号と、を送信するメイン制御手段200と、少なくとも、前記第２制御信号を受信したことに基づいて、演出信号を送信するサブ制御手段500と、前記前扉14に設けられ、前記第１制御信号を受信したことに基づいて所定の上限に達するまで発光態様を変化させる第１発光装置87と、前記前扉14に設けられ、前記サブ制御手段500が前記第２制御信号を受信したことに基づいて送信する前記演出信号を受信したことに基づいて発光する第２発光装置78と、前記前扉14に設けられ、前記メイン制御手段200及び前記サブ制御手段500を経由せず、前記検知信号に基づく信号に基づいて、投入された前記メダルの１枚毎に発光態様を変化させて発光する第３発光装置350と、を備えたことを特徴とする。
【０００９】
この構成によれば、メダルが投入された際に、メイン制御手段200及びサブ制御手段500を経由せずに、検知信号に基づく信号を受信したことに基づいて第３発光装置350を発光させ、メダルが投入されたことを報知することができる。そのため、この構成によれば、メイン制御手段200及びサブ制御手段500に不正行為が行われたとしても、投入による発光を誤魔化すことができなくなり、不正行為による被害を抑制することができる。
【００１０】
また、本発明に係る回胴式遊技機10の具体例としては、さらに、前記第３発光装置350は、前記メダルが１枚投入される毎に光の三原色を一定の順序で発光させており、前記メダル検知センサ92が３枚の前記メダルの検知を行うことを１周期として、１周期単位で前記一定の順序の発光を繰り返すことを特徴とする。
【００１１】
この構成によれば、光の三原色を一定の順序で繰り返して発光させることができ、これらの光の三原色が重なって発光した場合、第３発光装置350による発光色は白色となる。そのため、この構成によれば、第３発光装置350による白色の発光色を不正行為が行われているか否かの判断基準とすることができ、何ら不正行為が行われているか否かの判断基準を備えない構成に比べて、不正行為が行われていることの発見を容易とすることができる。
【００１２】
また、本発明に係る回胴式遊技機10の具体例としては、さらに、前記検知信号を受信し、前記第３発光装置350に第１規定時間、発光信号を送信する発光制御手段300を備え、前記第３発光装置350は、前記発光信号を受信したことに基づいて発光し、前記第１規定時間の経過後、前記発光制御手段300が前記発光信号の送信を停止することにより、発光を停止することを特徴とする。
【００１３】
この構成によれば、発光制御手段300による発光信号が送信されている第１規定時間中、第３発光装置350は発光を継続することができ、この発光中に光の三原色が重なった場合には、第３発光装置350を白色で発光させることができる。そのため、この構成によれば、第３発光装置350の発光が継続しない構成と異なり、第３発光装置350による白色の発光時間を確保することができるため、不正行為が行われていることの発見を容易とすることができる。
【００１４】
また、本発明に係る回胴式遊技機10の具体例としては、さらに、前記発光制御手段300は、前記検知信号を受信した際、前記第３発光装置350の前回の発光時から第２規定時間を経過していない場合は、前記第２規定時間の経過後、前記発光信号の送信を開始することを特徴とする。
【００１５】
この構成によれば、発光制御手段300が検知信号を受信した際、第３発光装置350の前回の発光時から第２規定時間を経過していない場合は、第２規定時間の経過後に発光信号を送信することとされている。そのため、この構成によれば、第３発光装置350の前回の発光時から第２規定時間を経過する前に発光信号を送信する構成に比べて、発光制御手段300による発光信号の送信時間を長くすることができる。これにより、この構成によれば、第３発光装置350による白色の発光時間を長くすることができるため、不正行為が行われていることの発見を容易とすることができる。
【００１６】
また、本発明に係る回胴式遊技機10の具体例としては、さらに、前記発光制御手段300は、前記検知信号を受信した際、前記第３発光装置350の前回の発光時から第２規定時間を経過していない場合は、前記第１規定時間に所定の加算時間を加えた特別第１規定時間、前記発光信号を送信することを特徴とする。
【００１７】
この構成によれば、発光制御手段300が検知信号を受信した際、第３発光装置350の前回の発光時から第２規定時間を経過していない場合は、第１規定時間に所定の加算時間を加えた特別第１規定時間、発光信号を送信することとされている。そのため、この構成によれば、第３発光装置350の前回の発光時から第２規定時間を経過していない場合、第１規定時間に所定の加算時間を加えない構成に比べて、発光制御手段300による発光信号の送信時間を長くすることができる。これにより、この構成によれば、第３発光装置350による白色の発光時間を長くすることができるため、不正行為が行われていることの発見を容易とすることができる。
【００１８】
また、本発明に係る回胴式遊技機10の具体例としては、さらに、少なくとも前記サブ制御手段500に接続され、前記第３発光装置350による発光を受光する受光手段400を備え、前記サブ制御手段500は、前記受光手段400が第３規定時間以上、規定パターンを受光していると判定した場合には、エラー状態にあることを報知することを特徴とする。
【００１９】
この構成によれば、サブ制御手段500は、第３発光装置350による発光を受光手段400が第３規定時間以上、規定パターンを受光していると判定した場合には、エラー状態にあることを報知することとされている。そのため、この構成によれば、サブ制御手段500によるエラー状態にあることの報知として、たとえば、第３発光装置350を所定のエラー報知用の発光色で発光させることにより、不正行為の発生を報知することができる。
【００２０】
また、本発明に係る回胴式遊技機10の具体例としては、さらに、前記前扉14には、前記メダル検知センサ92からの前記検知信号を受信したことに基づいて前記メイン制御手段200により前記第１制御信号が前記サブ制御手段500に送信され、当該第１制御信号を受信したことに基づいて当該サブ制御手段500により送信される前記演出信号に基づいて前記メダルの投入音を発するスピーカー72を備えたことを特徴とする。
【００２１】
この構成によれば、メダル検知センサ92から検知信号が送信されたことに基づいて、第３発光装置350を発光させること及びスピーカー72により投入音を発することができる。そのため、この構成によれば、第３発光装置350の発光と、スピーカー72による投入音との間に生じた矛盾を不正行為が行われているか否かの判断基準とすることができ、何ら不正行為が行われているか否かの判断基準を備えない構成に比べて、不正行為が行われていることの発見を容易とすることができる。
【００２２】
本発明に係る回胴式遊技機10は、遊技媒体としてのメダルと、遊技機の正面側に位置する前扉14と、前記前扉14に設けられ、遊技機の内部へ前記メダルを投入するためのメダル投入口38と、前記メダル投入口38から投入された前記メダルの検知を行い、当該検知の結果としての検知信号を送信するメダル検知センサ92と、遊技の進行に関する制御を行い、前記検知信号を受信して、制御信号を送信するメイン制御手段200と、前記制御信号を受信したことに基づいて、演出信号を送信するサブ制御手段500と、前記前扉14に設けられ、少なくとも前記演出信号を受信したことに基づいて発光する発光装置と、を備え、前記発光装置78は、前記検知信号に基づく信号を受信した場合に投入された前記メダルの１枚毎に発光態様を変化させるとともに、前記メイン制御手段200及び前記サブ制御手段500を経由せず、前記検知信号に基づく信号に基づいて発光可能なことを特徴とする。
【００２３】
ここで、本発明における「発光装置」は、後述する第４の実施形態における「演出用ランプ78」に相当する。
この構成によれば、メダルが投入された際に、メイン制御手段200及びサブ制御手段500を経由せずに、検知信号に基づく信号を受信したことに基づいて発光装置を発光させ、メダルが投入されたことを報知することができる。そのため、この構成によれば、メイン制御手段200及びサブ制御手段500に不正行為が行われたとしても、投入による発光を誤魔化すことができなくなり、不正行為による被害を抑制することができる。
【００２４】
また、本発明に係る回胴式遊技機10の具体例としては、さらに、前記発光装置は、前記メダルが１枚投入される毎に光の三原色を一定の順序で発光させており、前記メダル検知センサ92が３枚の前記メダルの検知を行うことを１周期として、１周期単位で前記一定の順序の発光を繰り返すことを特徴とする。
【００２５】
この構成によれば、光の三原色を一定の順序で繰り返して発光させることができ、これらの光の三原色が重なって発光した場合、発光装置による発光色は白色となる。そのため、この構成によれば、発光装置による白色の発光色を不正行為が行われているか否かの判断基準とすることができ、何ら不正行為が行われているか否かの判断基準を備えない構成に比べて、不正行為が行われていることの発見を容易とすることができる。
【００２６】
また、本発明に係る回胴式遊技機10の具体例としては、さらに、前記検知信号を受信し、前記発光装置に第１規定時間、発光信号を送信する発光制御手段300を備え、前記発光装置は、前記発光信号を受信したことに基づいて発光し、前記第１規定時間の経過後、前記発光制御手段300が前記発光信号の送信を停止することにより、発光を停止することを特徴とする。
【００２７】
ここで、発光信号を送信する期間とは、発光装置が発光するためのデータを発光制御手段300が出力し、発光装置がそのデータを受け取っている期間をいい、信号の不定期間や発光装置のリセット期間、発光制御手段300の出力によらない発光信号のプルダウン期間等は除かれるものとする。
【００２８】
この構成によれば、発光制御手段300による発光信号が送信されている第１規定時間中、発光装置は発光を継続することができ、この発光中に光の三原色が重なった場合には、発光装置を白色で発光させることができる。そのため、この構成によれば、発光装置の発光が継続しない構成と異なり、発光装置による白色の発光時間を確保することができるため、不正行為が行われていることの発見を容易とすることができる。
【００２９】
また、本発明に係る回胴式遊技機10の具体例としては、さらに、前記発光制御手段300は、前記検知信号を受信した際、前記発光装置の前回の発光時から第２規定時間を経過していない場合は、前記第２規定時間の経過後、前記発光信号の送信を開始することを特徴とする。
【００３０】
この構成によれば、発光制御手段300が検知信号を受信した際、発光装置の前回の発光時から第２規定時間を経過していない場合は、第２規定時間の経過後に発光信号を送信することとされている。そのため、この構成によれば、発光装置の前回の発光時から第２規定時間を経過する前に発光信号を送信する構成に比べて、発光制御手段300による発光信号の送信時間を長くすることができる。これにより、この構成によれば、発光装置による白色の発光時間を長くすることができるため、不正行為が行われていることの発見を容易とすることができる。
【００３１】
また、本発明に係る回胴式遊技機10の具体例としては、さらに、前記発光制御手段300は、前記検知信号を受信した際、前記発光装置の前回の発光時から第２規定時間を経過していない場合は、前記第１規定時間に所定の加算時間を加えた特別第１規定時間、前記発光信号を送信することを特徴とする。
【００３２】
この構成によれば、発光制御手段300が検知信号を受信した際、発光装置の前回の発光時から第２規定時間を経過していない場合は、第１規定時間に所定の加算時間を加えた特別第１規定時間、発光信号を送信することとされている。そのため、この構成によれば、発光装置の前回の発光時から第２規定時間を経過していない場合、第１規定時間に所定の加算時間を加えない構成に比べて、発光制御手段300による発光信号の送信時間を長くすることができる。これにより、この構成によれば、発光装置による白色の発光時間を長くすることができるため、不正行為が行われていることの発見を容易とすることができる。
【００３３】
また、本発明に係る回胴式遊技機10の具体例としては、さらに、少なくとも前記サブ制御手段500に接続され、前記発光装置による発光を受光する受光手段400を備え、前記サブ制御手段500は、前記受光手段400が第３規定時間以上、規定パターンを受光していると判定した場合には、エラー状態にあることを報知することを特徴とする。
【００３４】
この構成によれば、サブ制御手段500は、発光装置による発光を受光手段400が第３規定時間以上、規定パターンを受光していると判定した場合には、エラー状態にあることを報知することとされている。そのため、この構成によれば、サブ制御手段500によるエラー状態にあることの報知として、たとえば、発光装置を所定のエラー報知用の発光色で発光させることにより、不正行為の発生を報知することができる。
【００３５】
また、本発明に係る回胴式遊技機10の具体例としては、さらに、前記前扉14には、前記メダル検知センサ92からの前記検知信号を受信したことに基づいて前記メイン制御手段200により前記制御信号が前記サブ制御手段500に送信され、当該制御信号を受信したことに基づいて当該サブ制御手段500により送信される前記演出信号に基づいて前記メダルの投入音を発するスピーカー72を備えたことを特徴とする。
【００３６】
この構成によれば、メダル検知センサ92から検知信号が送信されたことに基づいて、発光装置を発光させること及びスピーカー72により投入音を発することができる。そのため、この構成によれば、発光装置の発光と、スピーカー72による投入音との間に生じた矛盾を不正行為が行われているか否かの判断基準とすることができ、何ら不正行為が行われているか否かの判断基準を備えない構成に比べて、不正行為が行われていることの発見を容易とすることができる。
【図面の簡単な説明】
【００３７】
【図１】第１、第２及び第３の実施形態における遊技機の概略正面図である。
【図２】本実施の形態における遊技機の入力、制御及び出力を示すブロック図である。
【図３】第１、第２及び第３の実施形態における信号の流れを示す説明図である。
【図４】第１の実施形態における投入演出の流れを示す説明図である。
【図５】第２の実施形態における投入演出の流れを示す説明図である。
【図６】第３の実施形態における投入演出の流れを示す説明図である。
【図７】第４の実施形態における遊技機の概略正面図である。
【図８】第４の実施形態における信号の流れを示す説明図である。
【発明を実施するための形態】
【００３８】
（第１の実施形態）
（回胴式遊技機10）
本明細書では、各説明箇所において、方向についての定義等が示されていない場合には、回胴式遊技機10の方を向いて位置している遊技者から見て、回胴式遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、回胴式遊技機10の所定位置に固定した場合における遊技者から見た方向を意味する。
第１の実施形態に係る回胴式遊技機10としてのスロットマシンを、以下、図１、図２及び図３を参照しながら説明する。
【００３９】
（筐体12、前扉14）
第１の実施形態に係る回胴式遊技機10としてのスロットマシンは、前方向に向かって開口する正面開口を有する四角箱状の筐体12と、この筐体12の正面開口を開閉自在に覆う前扉14とを備えている。
【００４０】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００４１】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。また、リールユニット60には、回転リール62の回転位置が基準となる位置（基準位置）であることを検出するためリール位置センサ63が設けられている。このリール駆動モータ65は、メイン制御手段200から出力されるリール駆動モータ65を駆動するための駆動信号に基づき駆動する。さらに、リールユニット60には、回転リール62上の図柄61を照らすためのバックランプ67が設けられている。
【００４２】
（クレジット表示器87、払出枚数表示器88）
前記図柄表示窓部16の下方には、クレジットメダルの貯留枚数（以下、「クレジットメダル数」とする）を表示するクレジット表示器87と、このクレジット表示器87の左側に配置され、回胴式遊技機10から払い出されたメダルの総数を表示する払出枚数表示器88とが設けられている。これらの表示器は、たとえば２個の７セグメントＬＥＤで構成されており、クレジット表示器87は２桁のクレジットメダル数、払出枚数表示器88は２桁の払出枚数が表示可能になっている。
【００４３】
ここで、第１の実施形態に係る回胴式遊技機10は、後述するメダル投入口38に投入したメダルを最大５０枚までクレジットメダルとして内部に貯留可能なクレジット機能（投入枚数を電子データとして電子的に記憶し管理する機能）を有している。そして、このクレジットメダルとして貯留可能な最大枚数である５０枚を「最大クレジットメダル数」とする。
【００４４】
また、クレジット表示器87は、後述するメイン制御手段200により送信される第１制御信号を受信したことに基づいて最大クレジットメダル数に達するまで発光態様を変化させることとされている。すなわち、クレジット表示器87は、最大クレジットメダル数に達するまで表示されるクレジットメダル数を変化させている。なお、第１の実施形態における「クレジット表示器87」は、本発明における「第１発光装置」に相当し、「最大クレジットメダル数」は、本発明における「所定の上限」に相当する。
【００４５】
（操作部30）
前記前扉14の下部には下パネル22が設けられている。そして、前扉14には下パネル22の上に位置して前扉14の前方向へ向けて突出する操作部30を備えている。この操作部30は、メダル投入口38と、精算スイッチ36と、ストップスイッチ50と、スタートスイッチ40と、ベットスイッチ32と、を備えている。
【００４６】
（メダル投入口38）
操作部30の右側部分には、回胴式遊技機10の内部へ遊技媒体としてのメダルを投入するためのメダル投入口38が設けられている。
【００４７】
（メダルセレクタ17）
前扉14の裏側であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検知する投入センサ92が設けられている。
【００４８】
なお、前扉14の裏側には図示しないメダル通路が設けられており、メダルセレクタ17において非正規のメダルとして排除されたメダルや、ホッパーユニット24から払い出されたメダルが、このメダル通路を通過してメダル払出口28から払い出される。
【００４９】
（投入センサ92）
図３に示すように、投入センサ92は、メダル投入口38に投入されたメダルを１枚ずつ検知して、当該検知したメダル１枚毎に、当該検知の結果としての検知信号を後述するメイン制御手段200及び後述する発光制御手段300に送信するものである。この投入センサ92は、検知信号を後述するメイン制御手段200及び後述する発光制御手段300それぞれに１つずつ送信している。ここで、第１の実施形態における「投入センサ92」は、本発明における「メダル検知センサ」に相当する。
【００５０】
なお、図３に示す検知信号線は、後述するメイン制御手段200及び後述する発光制御手段300それぞれに１本ずつ接続されるものに限らず、１本の検知信号線を途中で分岐させてそれぞれに接続してもよい。また、図３に示す第１制御信号線や演出信号線についても検知信号線と同様の方法で接続してもよい。さらに、投入センサ92が検知信号を送信する契機は上述のものには限られない。
【００５１】
（精算スイッチ36）
メダル投入口38の下方には、クレジット機能によりクレジットしたメダルの全てを払い出すための精算スイッチ36が設けられている。
【００５２】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００５３】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００５４】
（ベットスイッチ32）
このスタートスイッチ40の上方には、ベットスイッチ32として、貯留されたクレジットメダルから投入されたメダル数（クレジットされたメダル数）から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代えるシングルベットスイッチ35とが設けられている。
【００５５】
（演出用ボタンスイッチ42）
マックスベットスイッチ34の右側には、所定の演出において遊技者が操作可能な演出用ボタンスイッチ42が設けられている。
また、前記前扉14の裏側には、扉開閉用スイッチ19、設定変更スイッチ46、設定表示器89などが配置されている（図２参照）。
【００５６】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００５７】
（設定変更スイッチ46）
設定変更スイッチ46は、後述する電源ユニット43の設定キースイッチ45と共に設定変更を行うためのものである。
（設定表示器89）
設定表示器89は、例えば７セグメントの小型のＬＥＤにより、大当り確率の設定値を表示するものである。設定表示器89には、当該回胴式遊技機10の設定値が表示されるが、外部から視認できないようにすべく、設定後一定時間が経過するとその表示は解除される。
【００５８】
また、前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている（図２参照）。
【００５９】
（ホッパーユニット24）
このホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出してメイン制御手段200へ信号を出力するオーバーフローセンサ96とが設けられている。
【００６０】
（電源ユニット43）
この電源ユニット43には、電源投入又は電源遮断のための操作が可能な電源スイッチ44と、設定変更処理のための設定キースイッチ45とが設けられている。
【００６１】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００６２】
（遊技の流れの説明）
第１の実施形態に係る回胴式遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役のいずれかに当選か又はハズレかの役抽選が行われる。そして、当該回胴式遊技機10は、各回転リール62に対応するストップスイッチ50の操作タイミング及び役抽選の結果に基づいて、回転リール62の回転を役抽選の結果に適合するように停止させる。当該回胴式遊技機10は、停止時の図柄61の組合せによって、当選した役を構成する図柄61の組合せが所定の有効なライン（所定の役の図柄61の組合せが当該ライン上に揃ったときに所定の利益が付与されるラインのことであり、以下、有効ライン86とする。）上に停止した場合に、入賞等となり、所定枚数のメダルを払い出す等の所定の配当を遊技者に付与する。これにより、１回の遊技が終了するものである。
【００６３】
（演出装置70）
前記前扉14には、遊技者に役抽選の当選等の種々の情報を音や光や映像等で報知させるための演出装置70が形成されている。この演出装置70は、スピーカー72と、演出用ランプ78と、投入ランプ350と、表示装置84とを備えている。
【００６４】
（スピーカー72）
スピーカー72は、前扉14の上部左右に配置された上部スピーカー74と、前扉14の下部左右に配置された下部スピーカー76とを備えている。
【００６５】
第１の実施形態では、投入センサ92からの検知信号を受信したことに基づいて後述するメイン制御手段200により第１制御信号が後述するサブ制御手段500に送信され、当該第１制御信号を受信したことに基づいてサブ制御手段500により演出信号がスピーカー72に送信され、当該演出信号に基づいてメダルの投入音が発せられる。この詳細については後述する。
【００６６】
（演出用ランプ78）
演出用ランプ78は、前扉14の上部に配置されたランプであり、後述するサブ制御手段500が後述するメイン制御手段200により送信された第２制御信号を受信したことに基づいて送信する演出信号を受信したことに基づいて発光するものである。なお、第１の実施形態における「演出用ランプ78」は、本発明における「第２発光装置」に相当する。
【００６７】
（投入ランプ350）
投入ランプ350は、前扉14の下部の左右に配置されたランプであり、フルカラーで発光可能な複数個のＬＥＤから構成されている。第１の実施形態における投入ランプ350を構成するＬＥＤの個数は、３の倍数で構成されている。なお、投入ランプ350を構成するＬＥＤの個数は３の倍数に限らず、他の倍数としてもよい。
【００６８】
また、投入ランプ350は、後述するメイン制御手段200及び後述するサブ制御手段500を経由せず、後述する発光制御手段300により送信される検知信号に基づく信号としての発光信号に基づいて、投入されたメダルの１枚毎に発光態様を変化させて発光する（図３参照）。この投入ランプ350は、発光信号を受信したことに基づいて発光し、後述する発光制御手段300が発光信号の送信を停止することにより、発光を停止する。この詳細については後述する。なお、第１の実施形態における「投入ランプ350」は、本発明における「第３発光装置」に相当する。
【００６９】
ここで、投入ランプ350は、メダルが１枚投入される毎に光の三原色を一定の順序で発光させており、投入センサ92が３枚のメダルの検知を行うことを１周期として、１周期単位で一定の順序の発光を繰り返している。
【００７０】
第１の実施形態における投入ランプ350は、メダルが１枚投入される毎に「赤色」→「緑色」→「青色」の順序で発光させている。そして、この投入ランプ350は、投入センサ92が３枚のメダルの検知を行うことを１周期として、１周期単位で「赤色」→「緑色」→「青色」の順序の発光を繰り返している。ここで、第１の実施形態における「赤色」→「緑色」→「青色」の順序は、本発明における「一定の順序」に相当する。
【００７１】
このとき、投入ランプ350は、上述のように３の倍数個のＬＥＤから構成されているが、これらのＬＥＤは「赤色発光用ＬＥＤ」、「緑色発光用ＬＥＤ」及び「青色発光用ＬＥＤ」として、それぞれの光の三原色を専用で発光させる３つのグループに均等な個数で分けられている。
【００７２】
たとえば、３枚のメダルがメダル投入口38に投入された場合には、投入センサ92が１枚目のメダルの検知を行ったことに基づいて、赤色発光用ＬＥＤを発光する。次に、投入センサ92が２枚目のメダルの検知を行ったことに基づいて、緑色発光用ＬＥＤを発光する。続いて、投入センサ92が３枚目のメダルの検知を行ったことに基づいて、青色発光用ＬＥＤを発光する。
【００７３】
なお、本発明における「一定の順序」は上述のものに限らず、たとえば、「赤色」→「青色」→「緑色」、「緑色」→「青色」→「赤色」、「緑色」→「赤色」→「青色」、「青色」→「赤色」→「緑色」又は「青色」→「緑色」→「赤色」の順序を、本発明における「一定の順序」に相当することとしてもよい。
【００７４】
また、投入ランプ350は、メダルが１枚投入される毎に光の三原色を一定の順序で発光させているとして説明したが、これには限られない。たとえば、投入ランプ350をメダルが１枚投入される毎に、「紫」→「黄色」→「水色」の順に混色と単色とが交互に切り替わる順序で発光させてもよい。すなわち、投入ランプ350は、メダルが１枚投入される毎に、単色を一定の順序で発光させることに限らず、混色を含んだ発光態様を一定の順序で発光させてもよい。
【００７５】
（表示装置84）
前記表示装置84は、その画面に種々の映像を表示するための液晶表示装置である。
【００７６】
（制御装置100）
図２に示すように、回胴式遊技機10の内部には、回胴式遊技機10の全体の動作を制御するための制御装置100が形成されている。この制御装置100は、遊技を進行させて遊技状態を制御するメイン制御手段200と、このメイン制御手段200からの情報（コマンド）を受けて、遊技の進行に応じた演出を制御し、主に遊技内容に関する情報を遊技者に報知する演出を行うために演出状態を制御するサブ制御手段500とを備えている。
【００７７】
ここで、メイン制御手段200の制御に基づくスロットマシンの作動状態を遊技状態といい、サブ制御手段500の制御に基づくスロットマシンの作動状態を演出状態というものとする。なお、メイン制御手段200とサブ制御手段500との間は、メイン制御手段200への不正操作を防止するために、メイン制御手段200からサブ制御手段500への一方向の通信により行われ、サブ制御手段500からメイン制御手段200への逆方向の通信は行われていない（すなわち双方向の通信ではない）。メイン制御手段200は、スタートスイッチ40、ストップスイッチ50、ベットスイッチ32、精算スイッチ36等の入力を受け付け、役抽選を行い、リールユニット60及びホッパーユニット24等の作動を制御する。サブ制御手段500は、メイン制御手段200及び演出用ボタンスイッチ42からの信号を入力し、演出用ランプ78等の演出装置70の作動を制御する。サブ制御手段500には、演出装置70としての演出用ランプ78、スピーカー72、表示装置84等の各パーツが接続されている。
【００７８】
なお、特に図示していないが、メイン制御手段200を有するメイン基板と、サブ制御手段500を有するサブ基板とは、それぞれ専用の基板ケースの内部に収納されている。具体的には、メイン制御手段200は、メイン基板ケースの内部に収納され、サブ制御手段500は、サブ基板ケースの内部に収納されている。そして、メイン基板ケースは、筐体12内部の奥側の上部に固定され、サブ基板ケースは、筐体12内部の正面から向かって左側に固定されている。
【００７９】
メイン制御手段200及びサブ制御手段500は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば回胴式遊技機10の状態を記憶するための記憶領域や、役抽選の抽選結果を記憶するための記憶領域として使用される。
【００８０】
（外部集中端子板18）
また、筐体12内部の正面から向かって右側には、外部集中端子板18が設けられている。
外部集中端子板18は、遊技データを回胴式遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ表示器）やホールコンピュータに接続されている。
【００８１】
（メイン制御手段200）
メイン制御手段200は、少なくとも遊技の進行に関する制御を行うものであって、遊技の進行に関する制御を行う機能を有する。
【００８２】
第１の実施形態におけるメイン制御手段200は、図３に示すように、検知信号に基づく信号としての第１制御信号をクレジット表示器87又はサブ制御手段500に送信し、第１制御信号と異なる第２制御信号をサブ制御手段500に送信する。
【００８３】
ここで、「第１制御信号」とは、投入センサ92により送信された検知信号をメイン制御手段200が受信したことに基づいて送信され、メダル投入口38にメダルが投入された事実を外部に報知させることを目的として送信される信号である。
【００８４】
たとえば、メイン制御手段200がクレジット表示器87に第１制御信号を送信した場合、当該第１制御信号を受信したクレジット表示器87は、最大クレジットメダル数に達するまで表示されるクレジットメダル数を変化させることにより、メダル投入口38にメダルが投入された事実を外部に報知している。
【００８５】
一方、メイン制御手段200がサブ制御手段500に第１制御信号を送信した場合、当該第１制御信号を受信したサブ制御手段500は、スピーカー72に演出信号を送信する。そして、当該演出信号を受信したスピーカー72は、メダルの投入音を発することにより、メダル投入口38にメダルが投入された事実を外部に報知している。
【００８６】
また、「第２制御信号」とは、第１制御信号と異なる信号であって、演出用ランプ78による発光演出を行うことを目的として送信される信号である。そして、この「第２制御信号」は、メイン制御手段200が検知信号を受信したことを契機として送信される場合と、メイン制御手段200が検知信号を受信したことを契機とせずに送信される場合と、がある。
【００８７】
たとえば、メイン制御手段200が検知信号を受信したことを契機として第２制御信号がサブ制御手段500に送信される場合としては、以下のような場合がある。
規定の賭け数（３枚）が設定された場合には、投入センサ92によりスタートスイッチ40の操作が可能となったことを示す検知信号がメイン制御手段200に送信される。その後、遊技者がスタートスイッチ40を操作すると、上述のように、３個すべての回転リール62の回転が開始して、遊技が開始する。そして、遊技が開始されたことによって、遊技の開始に伴う演出用ランプ78による発光演出を行うことを目的としてメイン制御手段200によりサブ制御手段500に対して第２制御信号が送信される。
【００８８】
（サブ制御手段500）
サブ制御手段500は、メイン制御手段200からの信号を受けて、遊技の進行に伴う演出を行うものである。
【００８９】
具体的には、サブ制御手段500は、演出用ランプ78を駆動するためのＬＥＤ駆動回路（図示せず）に対してＬＥＤの点灯や消灯を規定するデータを出力したり、スピーカー72から音を発するための音声出力回路（図示せず）に対して発する音声を規定するデータを出力したり、表示装置84を駆動するための液晶制御基板（図示せず）に対して出力する映像データを規定するデータを出力したりする。
【００９０】
また、第１の実施形態におけるサブ制御手段500は、スピーカー72から音を発する音声出力演出を行うべく、音声出力演出を実行する際に適宜、スピーカー72に演出信号を送信するとともに、投入センサ92からの検知信号を受信したことに基づいてメイン制御手段200により送信された第１制御信号を受信したことに基づいて、スピーカー72に演出信号を送信する。すなわち、サブ制御手段500は、投入センサ92からの検知信号を受信したことに基づいてメイン制御手段200により送信された第１制御信号を受信した場合に限らず、スピーカー72を音声出力演出で使用する場合にも演出信号をスピーカー72に送信する。
【００９１】
さらに、第１の実施形態におけるサブ制御手段500は、メイン制御手段200により送信された第２制御信号を受信したことに基づいて、演出用ランプ78に演出信号を送信する。なお、サブ制御手段500が演出用ランプ78に演出信号を送信する契機は、第２制御信号を受信した場合に限らず、演出信号とは異なる他の信号をメイン制御手段200から受信した場合に送信してもよい。
【００９２】
（発光制御手段300）
発光制御手段300は、ディレイ回路（オンディレイ回路）とされており、第１の実施形態では、検知信号を受信し、投入ランプ350に第１規定時間（例えば１．５秒間）、発光信号を送信（インターバル動作）するものである。ここで、発光信号を送信する期間とは、投入ランプ350が発光するためのデータを発光制御手段300が出力し、投入ランプ350がそのデータを受け取っている期間をいい、信号の不定期間や投入ランプ350のリセット期間、発光制御手段300の出力によらない発光信号のプルダウン期間等は除かれるものとする。そして、発光制御手段300は第１規定時間の経過後、発光信号の送信を停止する。
この発光制御手段300は、検知信号を受信する受信手段310と、発光信号を送信する送信手段320と、各発光信号に対応する第１規定時間のカウントを行うカウント手段330と、を備えている。
【００９３】
ここで、送信手段320が投入ランプ350に送信する発光信号としては、赤色発光用ＬＥＤを発光させるための「赤色発光信号」と、緑色発光用ＬＥＤを発光させるための「緑色発光信号」と、青色発光用ＬＥＤを発光させるための青色発光信号と、がある。
【００９４】
そして、送信手段320は、投入センサ92による検知信号を受信手段310が連続して受信した場合には、投入ランプ350に「赤色発光信号」→「緑色発光信号」→「青色発光信号」の順に、それぞれの発光信号を第１規定時間送信することとされている。この詳細については後述する。
【００９５】
カウント手段330は、送信手段320が発光信号を投入ランプ350に送信したことに基づいて、第１規定時間のカウントを開始する。このカウント手段330は、各発光信号に対応した第１規定時間カウンタを備えており、赤色発光信号に対応した「赤色カウンタ」と、緑色発光信号に対応した「緑色カウンタ」と、青色発光信号に対応した「青色カウンタ」と、がある。
【００９６】
具体的には、カウント手段330は、送信手段320により投入ランプ350に「赤色発光信号」が送信されたことに基づいて「赤色カウンタ」のカウントを開始し、「緑色発光信号」が送信されたことに基づいて「緑色カウンタ」のカウントを開始し、「青色発光信号」が送信されたことに基づいて「青色カウンタ」のカウントを開始する。
そして、カウント手段330により、各発光信号に対応する第１規定時間が経過したと判定されたことに基づいて、送信手段320は、当該第１規定時間が経過した発光信号の送信を停止する。
【００９７】
なお、送信手段320が送信する３種類の発光信号の順序は上述のものには限られない。たとえば、送信手段320は、投入センサ92による検知信号を受信手段310が連続して受信した場合には、投入ランプ350に「赤色発光信号」→「青色発光信号」→「緑色発光信号」、「緑色発光信号」→「青色発光信号」→「赤色発光信号」、「緑色発光信号」→「赤色発光信号」→「青色発光信号」、「青色発光信号」→「赤色発光信号」→「緑色発光信号」又は「青色発光信号」→「緑色発光信号」→「赤色発光信号」の順序で送信してもよい。
【００９８】
（受光手段400）
図３に示すように、第１の実施形態では、メイン制御手段200及びサブ制御手段500に接続され、投入ランプ350による発光を受光する受光手段400を備えている。
第１の実施形態における受光手段400は、受光素子とされており、投入ランプ350による発光を受光できるよう投入ランプ350の近傍に配置されている。
【００９９】
第１の実施形態では、受光手段400が第３規定時間以上、規定パターンを受光しているとサブ制御手段500が判定した場合、サブ制御手段500はエラー状態にあることを報知することとされている。ここで、第１の実施形態における「第３規定時間」は「１０秒間」とされ、「規定パターン」は「白色発光」とされている。
【０１００】
この規定パターンとしての「白色発光」を第３規定時間としての「１０秒間」以上継続させるためには、遊技者による手動でのメダル投入では、約２０枚以上のメダルを連続してメダル投入口38に投入しなければならない。２０枚以上のメダルを連続してメダル投入口38に手動で投入することは困難であるため、受光手段400が第３規定時間（１０秒間）以上、規定パターン（白色発光）を受光しているとサブ制御手段500が判定した場合には、不正行為が行われている可能性が高いといえる。
【０１０１】
なお、受光手段400は、メイン制御手段200及びサブ制御手段500に接続されるものに限らず、メイン制御手段200にのみ接続されるものであってもよいし、サブ制御手段500にのみ接続されるものであってもよい。また、第３規定時間は１０秒間に限らず、これより長くても短くてもよい。さらに、規定パターンは白色発光に限らず、他の発光態様でもよい。たとえば、送信手段320が送信する発光信号に基づいて、投入ランプ350が「紫」→「黄色」→「水色」の順に混色と単色とが交互に切り替わる構成とし、この混色と単色とが交互に切り替わることを「規定パターン」としてもよい。
【０１０２】
（第１の実施形態における投入演出の説明）
以下、図３及び図４を参照して、メダル投入口38にメダルが投入されたことに基づいて行われる投入演出について説明する。
なお、以下では、メイン制御手段200及び受信手段310が投入センサ92による検知信号を連続して受信した場合、当該連続して受信したうちの最初の検知信号を「第１検知信号」、第１検知信号の次に受信した検知信号を「第２検知信号」、第２検知信号の次に受信した検知信号を「第３検知信号」等として、各検知信号を区別する。
【０１０３】
図４に示すように、受信手段310は、投入センサ92による検知信号を９回連続して受信したものとする。
この場合、送信手段320は、受信手段310が第１検知信号を受信したことに基づいて、投入ランプ350に「赤色発光信号Ｒ１」を送信する。次に、送信手段320は、受信手段310が第２検知信号を受信したことに基づいて、投入ランプ350に「緑色発光信号Ｇ１」を送信する。続いて、送信手段320は、受信手段310が第３検知信号を受信したことに基づいて、投入ランプ350に「青色発光信号Ｂ１」を送信する。
【０１０４】
そして、送信手段320は、受信手段310が第４検知信号を受信したことに基づいて、投入ランプ350に「赤色発光信号Ｒ２」を送信する。次に、送信手段320は、受信手段310が第５検知信号を受信したことに基づいて、投入ランプ350に「緑色発光信号Ｇ２」を送信する。続いて、送信手段320は、受信手段310が第６検知信号を受信したことに基づいて、投入ランプ350に「青色発光信号Ｂ２」を送信する。
【０１０５】
その後、送信手段320は、受信手段310が第７検知信号を受信したことに基づいて、投入ランプ350に「赤色発光信号Ｒ３」を第１規定時間送信する。次に、送信手段320は、受信手段310が第８検知信号を受信したことに基づいて、投入ランプ350に「緑色発光信号Ｇ３」を第１規定時間送信する。続いて、送信手段320は、受信手段310が第９検知信号を受信したことに基づいて、投入ランプ350に「青色発光信号Ｂ３」を第１規定時間送信する。
【０１０６】
すなわち、送信手段320は、投入センサ92が３枚のメダルの検知を行うことを１周期として、「赤色発光信号」→「緑色発光信号」→「青色発光信号」の順序で発光信号を投入ランプ350に送信している。
【０１０７】
このとき、カウント手段330は、受信手段310が投入センサ92により送信される第１検知信号〜第９検知信号を受信して、送信手段320により投入ランプ350に各発光信号が送信されたことに基づいて、以下の処理を行う。
カウント手段330は、受信手段310が第１検知信号を受信したことに基づき、送信手段320により投入ランプ350に「赤色発光信号Ｒ１」が送信された場合、「赤色発光信号Ｒ１」が送信された時点から、「赤色カウンタ」のカウントを開始する。
【０１０８】
カウント手段330は、受信手段310が第２検知信号を受信したことに基づき、送信手段320により投入ランプ350に「緑色発光信号Ｇ１」が送信された場合、「緑色発光信号Ｇ１」が送信された時点から、「緑色カウンタ」のカウントを開始する。
【０１０９】
カウント手段330は、受信手段310が第３検知信号を受信したことに基づき、送信手段320により投入ランプ350に「青色発光信号Ｂ１」が送信された場合、「青色発光信号Ｂ１」が送信された時点から、「青色カウンタ」のカウントを開始する。
【０１１０】
カウント手段330は、受信手段310が第４検知信号を受信したことに基づき、送信手段320により投入ランプ350に「赤色発光信号Ｒ２」が送信された場合、現在の「赤色カウンタ」のカウント値を「０」にリセットする。その後、カウント手段330は、「赤色発光信号Ｒ２」が送信された時点から、再度カウントを開始する。
【０１１１】
カウント手段330は、受信手段310が第５検知信号を受信したことに基づき、送信手段320により投入ランプ350に「緑色発光信号Ｇ２」が送信された場合、現在の「緑色カウンタ」のカウント値を「０」にリセットする。その後、カウント手段330は、「緑色発光信号Ｇ２」が送信された時点から、再度カウントを開始する。
【０１１２】
カウント手段330は、受信手段310が第６検知信号を受信したことに基づき、送信手段320により投入ランプ350に「青色発光信号Ｂ２」が送信された場合、現在の「青色カウンタ」のカウント値を「０」にリセットする。その後、カウント手段330は、「青色発光信号Ｂ２」が送信された時点から、再度カウントを開始する。
【０１１３】
カウント手段330は、受信手段310が第７検知信号を受信したことに基づき、送信手段320により投入ランプ350に「赤色発光信号Ｒ３」が送信された場合、現在の「赤色カウンタ」のカウント値を「０」にリセットする。その後、カウント手段330は、「赤色発光信号Ｒ３」が送信された時点から、再度カウントを開始する。
【０１１４】
カウント手段330は、受信手段310が第８検知信号を受信したことに基づき、送信手段320により投入ランプ350に「緑色発光信号Ｇ３」が送信された場合、現在の「緑色カウンタ」のカウント値を「０」にリセットする。その後、カウント手段330は、「緑色発光信号Ｇ３」が送信された時点から、再度カウントを開始する。
【０１１５】
カウント手段330は、受信手段310が第９検知信号を受信したことに基づき、送信手段320により投入ランプ350に「青色発光信号Ｂ３」が送信された場合、現在の「青色カウンタ」のカウント値を「０」にリセットする。その後、カウント手段330は、「青色発光信号Ｂ３」が送信された時点から、再度カウントを開始する。
【０１１６】
以上説明したように、カウント手段330は、第１規定時間をカウント中に、受信手段310が新たな検知信号を受信し、送信手段320により投入ランプ350に現在カウント中の第１規定時間の発光信号と同種の発光信号が送信された場合には、当該送信された発光信号に対応するカウント値を「０」にリセットする。その後、カウント手段330は、当該リセットした発光信号の第１規定時間を、当該発光信号が送信された時点を起算として再度カウントを開始する。なお、第１の実施形態では、「０」から開始して「規定値」に達するまでカウントを行う、いわゆるカウントアップ型を採用したが、この方法に限られず、「規定値」から開始して「０」に達するまでカウントを行う、いわゆるカウントダウン型を採用してもよい。
【０１１７】
また、投入センサ92による検知信号が受信手段310に送信される際には、メイン制御手段200にも投入センサ92による検知信号が送信されており、メイン制御手段200は投入センサ92による検知信号を受信している（図３参照）。
メイン制御手段200は、検知信号を受信したことに基づき、クレジット表示器87及びサブ制御手段500に第１制御信号を送信する。
【０１１８】
第１制御信号を受信したクレジット表示器87は、最大クレジットメダル数に達するまで、２個の７セグメントＬＥＤをクレジットメダル数に対応するように点灯／消灯させて、表示されるクレジットメダル数を変化させる。
第１制御信号を受信したサブ制御手段500は、スピーカー72に演出信号を送信する。そして演出信号を受信したスピーカー72は、メダルの投入音を発する。
【０１１９】
このとき、サブ制御手段500がスピーカー72に送信する演出信号は、送信手段320が投入ランプ350に送信する発光信号と同時に送信されることとされている。そのため、スピーカー72と投入ランプ350とは、ほぼ同時のタイミングで各々、演出信号又は発光信号を受信することとなる。これにより、スピーカー72による投入音が発せられることと、投入ランプ350による発光とは、ほぼ同時となる。
【０１２０】
続いて、投入ランプ350の発光態様の変化について説明する。
図４に示すように、投入ランプ350は、送信手段320により赤色発光信号Ｒ１〜Ｒ３が送信されている間、赤色発光用ＬＥＤを発光している。
ここで、送信手段320による赤色発光信号Ｒ１は、受信手段310が第１検知信号を受信したことに基づいて、第１規定時間、投入ランプ350に送信されるため、投入ランプ350は赤色発光信号Ｒ１が送信された時点から第１規定時間、赤色発光用ＬＥＤを発光可能とされている。
【０１２１】
ただし、第１の実施形態では、赤色発光信号Ｒ１が送信された時点から第１規定時間を経過する前に、受信手段310が第４検知信号を受信している。そのため、送信手段320は、受信手段310が第４検知信号を受信したことに基づいて、赤色発光信号Ｒ２を第１規定時間、投入ランプ350に送信することとなる。これにより、カウント手段330は、現在の「赤色カウンタ」のカウント値を「０」にリセットして、赤色発光信号Ｒ２が送信された時点から再度カウントを開始する。
【０１２２】
また、第１の実施形態では、赤色発光信号Ｒ２が送信された時点から第１規定時間を経過する前に、受信手段310が第７検知信号を受信している。そのため、送信手段320は、受信手段310が第７検知信号を受信したことに基づいて、赤色発光信号Ｒ３を第１規定時間、投入ランプ350に送信することとなる。これにより、カウント手段330は、現在の「赤色カウンタ」のカウント値を「０」にリセットして、赤色発光信号Ｒ３が送信された時点から再度カウントを開始する。
【０１２３】
つまり、第１の実施形態では、投入ランプ350は、赤色発光信号Ｒ１が送信された時点を起点として、赤色発光信号Ｒ３が送信された時点から第１規定時間を経過するまで、赤色発光用ＬＥＤを発光する。
【０１２４】
次に、投入ランプ350は、送信手段320により緑色発光信号Ｇ１〜Ｇ３が送信されている間、緑色発光用ＬＥＤを発光している。
そして、緑色発光用ＬＥＤについても、赤色発光用ＬＥＤと同様に、緑色発光信号Ｇ１が送信された時点から第１規定時間を経過する前に、受信手段310が第５検知信号を受信し、緑色発光信号Ｇ２が送信された時点から第１規定時間を経過する前に、受信手段310が第８検知信号を受信している。
【０１２５】
つまり、第１の実施形態では、投入ランプ350は、緑色発光信号Ｇ１が送信された時点を起点として、緑色発光信号Ｇ３が送信された時点から第１規定時間を経過するまで、緑色発光用ＬＥＤを発光することとなる。
【０１２６】
続いて、投入ランプ350は、送信手段320により青色発光信号Ｂ１〜Ｂ３が送信されている間、青色発光用ＬＥＤを発光している。
そして、青色発光用ＬＥＤについても、赤色発光用ＬＥＤ及び緑色発光用ＬＥＤと同様に、青色発光信号Ｂ１が送信された時点から第１規定時間を経過する前に、受信手段310が第６検知信号を受信し、青色発光信号Ｂ２が送信された時点から第１規定時間を経過する前に、受信手段310が第９検知信号を受信している。
【０１２７】
つまり、第１の実施形態では、投入ランプ350は、青色発光信号Ｂ１が送信された時点を起点として、青色発光信号Ｂ３が送信された時点から第１規定時間を経過するまで、青色発光用ＬＥＤを発光することとなる。
【０１２８】
第１の実施形態では、上記で説明した期間において、投入ランプ350は、投入ランプ350を構成する複数のＬＥＤを「赤色」、「緑色」及び「青色」で発光させている。そして、図４に示すように、青色発光信号Ｂ１が送信された時点を起点として、赤色発光信号Ｒ３が送信された時点から第１規定時間が経過するまでの間は、赤色発光用ＬＥＤ、緑色発光用ＬＥＤ及び青色発光用ＬＥＤの全てが発光している。そのため、「赤色」、「緑色」及び「青色」の発光色が混ざり合い、ＲＧＢ（２５５，２５５，２５５）となることにより、投入ランプ350の発光色は「白色」となる。
【０１２９】
そして、サブ制御手段500は、受光手段400が第３規定時間以上、規定パターンとしての「白色発光」を受光していると判定した場合には、エラー状態にあることを演出装置70を用いて報知する。
【０１３０】
具体的には、サブ制御手段500は、演出用ランプ78を通常時とは異なる発光態様（たとえば、赤色で点滅をさせる等）で発光させることにより、エラー状態にあることを報知する。また、サブ制御手段500は、通常時とは異なる音（たとえば、サイレンのような音等）をスピーカー72から発することにより、エラー状態にあることを報知する。さらに、サブ制御手段500は、表示装置84に不正行為事実を表示（たとえば、「cheating」等）することにより、エラー状態にあることを報知する。なお、これらの方法は例示であり、エラー状態を報知する方法は限定されない。
【０１３１】
これにより、第１の実施形態では、遊技者により手動でメダルがメダル投入口38に連続して投入され投入ランプ350の発光色が「白色」となった場合に、サブ制御手段500がエラー状態にあると判定することを排除している。基本的には、メダル投入口38に手動で連続して投入可能なメダルの枚数により発光する「白色」の発光時間では第３規定時間以上となることがないからである。そのため、第１の実施形態では、サブ制御手段500は、遊技者による手動のメダル投入にてエラー状態にあると判定することなく、不正器具を用いた不正行為についてエラー状態にあると判定することができる。
【０１３２】
また、第１の実施形態では、発光制御手段300が投入ランプ350に発光信号を送信することにより、発光制御手段300と投入ランプ350とを接続する構成としたが、これに限らず、発光制御手段300とスピーカー72とを接続してもよい。
この場合、送信手段320は、投入センサ92による検知信号を受信手段310が連続して受信したときには、スピーカー72に「低音信号」→「中音信号」→「高音信号」の順に、それぞれの音源制御信号を第１規定時間送信することとされている。
【０１３３】
そして、それぞれの音源制御信号を受信したスピーカー72は、「低音」→「中音」→「高音」の順にそれぞれの音程を重ねて音を発することとされている。そのため、複数枚のメダルがメダル投入口38に連続して投入された場合には、高さの違う２つ以上の音が重なりあって響く和音が鳴り響くこととなる。これにより、スピーカー72から和音が長時間鳴り響いていることを不正行為が行われているか否かの判断基準とすることができる。
【０１３４】
スピーカー72から発する音を不正行為が行われているか否かの判断基準とする構成においては、第１の実施形態における受光手段400に相当する構成として、スピーカー72の近傍に「集音装置（マイク）」を備えることが望ましい。集音装置を備えることにより、集音装置が第３規定時間以上、規定和音を集音しているとサブ制御手段500が判定した場合には、サブ制御手段500により、エラー状態にあることを報知することができる。
【０１３５】
さらに、第１の実施形態では、受光手段400を備え、受光手段400が第３規定時間以上、白色を受光していると判定した場合には、サブ制御手段500がエラー状態にあることを演出装置70を用いて報知することとしたが、受光手段400を備えなくてもよい。
【０１３６】
（第１の実施形態の作用効果）
第１の実施形態によれば、メダルが投入された際に、メイン制御手段200及びサブ制御手段500を経由せずに、発光信号を受信したことに基づいて投入ランプ350を発光させ、メダルが投入されたことを報知することができる。そのため、第１の実施形態によれば、メイン制御手段200及びサブ制御手段500に不正行為が行われたとしても、投入による発光を誤魔化すことができなくなり、不正行為による被害を抑制することができる。
【０１３７】
また、第１の実施形態によれば、光の三原色を一定の順序で繰り返して発光させることができ、これらの光の三原色が重なって発光した場合、投入ランプ350による発光色は白色となる。そのため、第１の実施形態によれば、投入ランプ350による白色の発光色を不正行為が行われているか否かの判断基準とすることができ、何ら不正行為が行われているか否かの判断基準を備えない構成に比べて、不正行為が行われていることの発見を容易とすることができる。
【０１３８】
ここで、遊技者が手動でメダル投入口38にメダルを投入する場合と、不正器具によりメダルが投入されたと誤認させる場合とでは、投入ランプ350による白色発光のしやすさが異なる。
【０１３９】
遊技者が手動でメダル投入口38にメダルを投入する場合には、メダル投入口38にメダルを投入するリズムが不規則となるため、赤色発光用ＬＥＤ、緑色発光用ＬＥＤ及び青色発光用ＬＥＤの発光間隔が一定になりにくい。したがって、遊技者が手動でメダル投入口38にメダルを投入する場合には、「赤色」、「緑色」及び「青色」の発光色が混ざり合いにくくなるため、投入ランプ350による白色発光がしにくくなる。
【０１４０】
一方、不正器具によりメダルが投入されたと誤認させる場合では、不正器具を高速で点滅させて一定のリズムでメダルが投入されたと誤認させることが多いため、赤色発光用ＬＥＤ、緑色発光用ＬＥＤ及び青色発光用ＬＥＤの発光間隔が一定になりやすい。したがって、不正器具によりメダルが投入されたと誤認させる場合には、「赤色」、「緑色」及び「青色」の発光色が混ざり合いやすくなるため、投入ランプ350による白色発光がしやすくなる。
【０１４１】
このとき、第１の実施形態によれば、発光制御手段300による発光信号が送信されている第１規定時間中、投入ランプ350は発光を継続することができ、この発光中に光の三原色が重なった場合には、投入ランプ350を白色で発光させることができる。そのため、第１の実施形態によれば、投入ランプ350の発光が継続しない構成と異なり、投入ランプ350による白色の発光時間を確保することができるため、不正行為が行われていることの発見を容易とすることができる。
【０１４２】
さらに、第１の実施形態によれば、発光制御手段300による発光信号が送信されている第１規定時間中、投入ランプ350は発光を継続することができるため、不正器具が高速で点滅した場合であっても、投入ランプ350による白色の発光時間を確保することができるため、不正行為が行われていることの発見を容易とすることができる。
【０１４３】
また、第１の実施形態によれば、サブ制御手段500は、投入ランプ350による発光を受光手段400が第３規定時間以上、規定パターンとしての白色での発光を受光していると判定した場合には、エラー状態にあることを報知することとされている。そのため、第１の実施形態によれば、サブ制御手段500によるエラー状態にあることの報知として、たとえば、投入ランプ350を所定のエラー報知用の発光色で発光させることにより、不正行為の発生を報知することができる。
【０１４４】
また、第１の実施形態によれば、投入センサ92から検知信号が送信されたことに基づいて、投入ランプ350を発光させること及びスピーカー72により投入音を発することができる。そして、第１の実施形態では、演出信号と発光信号とは、同時にスピーカー72と投入ランプ350に送信されるため、スピーカー72と投入ランプ350とは、ほぼ同時のタイミングで各々、演出信号又は発光信号を受信する。これにより、第１の実施形態によれば、スピーカー72による投入音が発せられることと投入ランプ350による発光とは、ほぼ同時となり、これらの２つのタイミングにズレが生じたことを不正行為が行われているか否かの判断基準とすることができる。
【０１４５】
（第２の実施形態）
以下、本実施の形態の第２の実施形態を第１の実施形態と重複する部分は説明を省略して説明する。
【０１４６】
（発光制御手段300）
第２の実施形態におけるカウント手段330は、第１の実施形態のカウント手段330が行う処理に加え、第２規定時間（０．５秒間）のカウントと、受信手段310が検知信号を受信した際、投入ランプ350の前回の発光時、具体的には、前色のＬＥＤの発光時から第２規定時間が経過しているか否かの判定とを行う。そして、カウント手段330により、前色のＬＥＤの発光時から第２規定時間が経過していると判定された場合には、送信手段320により投入ランプ350に発光信号が送信される。一方、カウント手段330により、前色のＬＥＤの発光時から第２規定時間が経過していないと判定された場合には、前色のＬＥＤの発光時から第２規定時間が経過した後、送信手段320により投入ランプ350に発光信号が送信される。
【０１４７】
また、第２の実施形態におけるカウント手段330は、送信手段320により投入ランプ350に発光信号が送信された場合に、第２規定時間のカウントを開始する。ここで、カウント手段330は、第２規定時間をカウントするための第２規定時間カウンタを備えている。
【０１４８】
（第２の実施形態における投入演出の説明）
図５に示すように、受信手段310は、投入センサ92による検知信号を９回連続して受信したものとする。
カウント手段330は、受信手段310が第１検知信号を受信したことに基づき、前回、青色発光用ＬＥＤが発光した時、すなわち、前回、送信手段320により投入ランプ350に青色発光信号が送信された時点から第２規定時間Ｔ０が経過しているか否かの判定を行う。
【０１４９】
このとき、図５に示すように、第２の実施形態では、受信手段310が第１検知信号を受信した際、前回、送信手段320により投入ランプ350に青色発光信号が送信された時点から第２規定時間Ｔ０が経過している。そのため、カウント手段330は、前回、送信手段320により投入ランプ350に青色発光信号が送信された時点から第２規定時間Ｔ０を経過していると判定する。その結果、送信手段320は、投入ランプ350に「赤色発光信号Ｒ１」を送信する。また、カウント手段330は、送信手段320により投入ランプ350に「赤色発光信号Ｒ１」が送信された時点から第２規定時間カウンタを用いて、第２規定時間Ｔ１のカウントを開始する。
【０１５０】
次に、カウント手段330は、受信手段310が第２検知信号を受信したことに基づき、前回、赤色発光用ＬＥＤが発光した時、すなわち、送信手段320により投入ランプ350に「赤色発光信号Ｒ１」が送信された時点から第２規定時間Ｔ１が経過しているか否かの判定を行う。
【０１５１】
このとき、図５に示すように、第２の実施形態では、受信手段310が第２検知信号を受信した際、送信手段320により投入ランプ350に「赤色発光信号Ｒ１」が送信された時点から第２規定時間Ｔ１を経過していない。そのため、カウント手段330は、送信手段320により投入ランプ350に「赤色発光信号Ｒ１」が送信された時点から第２規定時間Ｔ１を経過していないと判定する。その結果、送信手段320は、受信手段310が第２検知信号を受信した際に「緑色発光信号Ｇ１」を送信することなく、カウント手段330により、投入ランプ350に「赤色発光信号Ｒ１」が送信された時点から第２規定時間Ｔ１を経過したと判定された後、「緑色発光信号Ｇ１」を送信する。また、カウント手段330は、第２規定時間カウンタによる第２規定時間Ｔ１のカウントを停止し、送信手段320により投入ランプ350に「緑色発光信号Ｇ１」が送信された時点から第２規定時間カウンタを用いて、第２規定時間Ｔ２のカウントを開始する。
【０１５２】
続いて、カウント手段330は、受信手段310が第３検知信号を受信したことに基づき、前回、緑色発光用ＬＥＤが発光した時、すなわち、送信手段320により投入ランプ350に「緑色発光信号Ｇ１」が送信された時点から第２規定時間Ｔ２が経過しているか否かの判定を行う。
【０１５３】
このとき、図５に示すように、第２の実施形態では、受信手段310が第３検知信号を受信した際、送信手段320により投入ランプ350に「緑色発光信号Ｇ１」が送信された時点から第２規定時間Ｔ２を経過していない。そのため、カウント手段330は、送信手段320により投入ランプ350に「緑色発光信号Ｇ１」が送信された時点から第２規定時間Ｔ２を経過していないと判定する。その結果、送信手段320は、受信手段310が第３検知信号を受信した際に「青色発光信号Ｂ１」を送信することなく、カウント手段330により、投入ランプ350に「緑色発光信号Ｇ１」が送信された時点から第２規定時間Ｔ２を経過したと判定された後、「青色発光信号Ｂ１」を送信する。また、カウント手段330は、第２規定時間カウンタによる第２規定時間Ｔ２のカウントを停止し、送信手段320により投入ランプ350に「青色発光信号Ｂ１」が送信された時点から第２規定時間カウンタを用いて、第２規定時間Ｔ３のカウントを開始する。
【０１５４】
なお、受信手段310が第４検知信号〜第９検知信号を受信した後の流れについては、上述した受信手段310が第２検知信号又は第３検知信号を受信した後の流れと同様のため、説明を省略する。
【０１５５】
ここで、第２の実施形態における第１規定時間は、第２規定時間（０．５秒間）の３倍以上に設定されている。そして、第２の実施形態における第１規定時間は、第１の実施形態と同様に「１．５秒間」とされている。
また、第２の実施形態における第２規定時間である０．５秒間は、メダルが投入センサ92を連続して通過する際の最短時間以下とされている。
【０１５６】
続いて、投入ランプ350の発光態様の変化について説明する。
図５に示すように、投入ランプ350は、送信手段320により赤色発光信号Ｒ１〜Ｒ３が送信されている間、赤色発光用ＬＥＤを発光している。
ここで、送信手段320による赤色発光信号Ｒ１は、受信手段310が第１検知信号を受信したことに基づいて、第１規定時間、投入ランプ350に送信されるため、投入ランプ350は赤色発光信号Ｒ１が送信された時点から第１規定時間、赤色発光用ＬＥＤを発光可能とされている。
【０１５７】
ただし、送信手段320は、赤色発光信号Ｒ１の送信中に、新たに赤色発光信号Ｒ２の送信処理がなされた場合には、赤色発光信号Ｒ１の第１規定時間が残っていても、赤色発光信号Ｒ１から赤色発光信号Ｒ２へ乗り換えて、赤色発光信号Ｒ２を第１規定時間送信する。そのため、送信手段320により赤色発光信号Ｒ１が送信されている最中に、新たに赤色発光信号Ｒ２の送信処理がなされた場合には、赤色発光信号Ｒ１により発光可能な最大時間、すなわち、第１規定時間を全て用いて、赤色発光用ＬＥＤを発光させることができない。
【０１５８】
ここで、図５に示すように、赤色発光信号Ｒ１が送信された時点から第１規定時間を経過する前に、受信手段310が第４検知信号を受信している。このとき、第１の実施形態においては、送信手段320は、受信手段310が第４検知信号を受信したことに基づいて、投入ランプ350に「赤色発光信号Ｒ２」を送信するため、赤色発光信号Ｒ１により発光可能な最大時間、すなわち、第１規定時間を全て用いて、赤色発光用ＬＥＤを発光させることができない（図４参照）。
【０１５９】
ただし、第２の実施形態においては、「赤色発光信号Ｒ２」は、カウント手段330により、送信手段320により投入ランプ350に「青色発光信号Ｂ１」が送信された時点から第２規定時間Ｔ３が経過していると判定されないと、送信手段320により投入ランプ350に「青色発光信号Ｂ１」が送信された時点から第２規定時間Ｔ３が経過するまで送信されない。
【０１６０】
そして、この「青色発光信号Ｂ１」が送信されるためには、カウント手段330により、送信手段320により投入ランプ350に「緑色発光信号Ｇ１」が送信された時点から第２規定時間Ｔ２が経過していると判定されることが必要である。また、「緑色発光信号Ｇ１」が送信されるためには、カウント手段330により、送信手段320により投入ランプ350に「赤色発光信号Ｒ１」が送信された時点から第２規定時間Ｔ１が経過していると判定されることが必要である。
【０１６１】
このとき、受信手段310が第２検知信号を受信した時点では、送信手段320により投入ランプ350に「赤色発光信号Ｒ１」が送信された時点から第２規定時間Ｔ１が経過しておらず、受信手段310が第３検知信号を受信した時点では、送信手段320により投入ランプ350に「緑色発光信号Ｇ１」が送信された時点から第２規定時間Ｔ２が経過していない。
【０１６２】
そのため、「緑色発光信号Ｇ１」は、カウント手段330により、送信手段320により投入ランプ350に「赤色発光信号Ｒ１」が送信された時点から第２規定時間Ｔ１が経過したと判定された後に送信され、「青色発光信号Ｂ１」は、カウント手段330により、送信手段320により投入ランプ350に「緑色発光信号Ｇ１」が送信された時点から第２規定時間Ｔ２が経過したと判定された後に送信される。
【０１６３】
その後、「赤色発光信号Ｒ２」は、カウント手段330により、送信手段320により投入ランプ350に「青色発光信号Ｂ１」が送信された時点から第２規定時間Ｔ３が経過したと判定された後に送信される。
【０１６４】
つまり、「赤色発光信号Ｒ２」は、「赤色発光信号Ｒ１」が送信された時点から第２規定時間Ｔ１、「緑色発光信号Ｇ１」が送信された時点から第２規定時間Ｔ２及び「青色発光信号Ｂ１」が送信された時点から第２規定時間Ｔ３を経過した後に送信される。すなわち、「赤色発光信号Ｒ２」は、「赤色発光信号Ｒ１」が送信された時点から「１．５秒間」が経過した後に送信される。そして、この「１．５秒間」は、第２の実施形態おける第１規定時間に相当するため、「赤色発光信号Ｒ１」の最大送信可能時間である第１規定時間を経過した後に、「赤色発光信号Ｒ２」が送信されることとなる。
【０１６５】
以上説明したように、第２の実施形態によれば、現在送信中の赤色発光信号が送信された時点から第１規定時間を経過する前に、受信手段310が検知信号を受信したとしても、現在の赤色発光信号が送信された時点から第１規定時間を経過する前に、次の赤色発光信号が送信されることがない。
そのため、第２の実施形態によれば、赤色発光信号Ｒ１〜Ｒ３により発光可能な最大時間、すなわち、第１規定時間の３回分（４．５秒間）を全て用いて、赤色発光用ＬＥＤを発光させることができる。
【０１６６】
次に、投入ランプ350は、送信手段320により緑色発光信号Ｇ１〜Ｇ３が送信されている間、緑色発光用ＬＥＤを発光している。そして、緑色発光信号も上述の赤色発光信号と同様に、現在送信中の緑色発光信号が送信された時点から第１規定時間を経過する前に、受信手段310が検知信号を受信したとしても、現在の緑色発光信号が送信された時点から第１規定時間を経過する前に、次の緑色発光信号が送信されることがない。
【０１６７】
そのため、第２の実施形態によれば、緑色発光信号Ｇ１〜Ｇ３により発光可能な最大時間、すなわち、第１規定時間の３回分（４．５秒間）を全て用いて、緑色発光用ＬＥＤを発光させることができる。
【０１６８】
続いて、投入ランプ350は、送信手段320により青色発光信号Ｂ１〜Ｂ３が送信されている間、青色発光用ＬＥＤを発光している。そして、青色発光信号も上述の赤色発光信号及び緑色発光信号と同様に、現在送信中の青色発光信号が送信された時点から第１規定時間を経過する前に、受信手段310が検知信号を受信したとしても、現在の青色発光信号が送信された時点から第１規定時間を経過する前に、次の青色発光信号が送信されることがない。
【０１６９】
そのため、第２の実施形態によれば、青色発光信号Ｂ１〜Ｂ３により発光可能な最大時間、すなわち、第１規定時間の３回分（４．５秒間）を全て用いて、青色発光用ＬＥＤを発光させることができる。
【０１７０】
第２の実施形態では、上記で説明した期間において、投入ランプ350は、投入ランプ350を構成する複数のＬＥＤを「赤色」、「緑色」及び「青色」で発光させている。そして、図５に示すように、青色発光信号Ｂ１が送信された時点を起点として、赤色発光信号Ｒ３が送信された時点から第１規定時間が経過するまでの間は、赤色発光用ＬＥＤ、緑色発光用ＬＥＤ及び青色発光用ＬＥＤの全てが発光している。そのため、「赤色」、「緑色」及び「青色」の発光色が混ざり合い、ＲＧＢ（２５５，２５５，２５５）となることにより、投入ランプ350の発光色は「白色」となる。
【０１７１】
（第２の実施形態の作用効果）
第２の実施形態における回胴式遊技機10は、第１の実施形態における回胴式遊技機10の作用効果に加え、以下の作用効果を奏する。
第２の実施形態によれば、発光制御手段300が検知信号を受信した際、投入ランプ350の前回の発光時から第２規定時間を経過していない場合は、第２規定時間の経過後に発光信号を送信することとされている。そのため、第２の実施形態によれば、投入ランプ350の前回の発光時から第２規定時間を経過する前に発光信号を送信する構成に比べて、発光制御手段300による発光信号の送信時間を長くすることができる。これにより、第２の実施形態によれば、投入ランプ350による白色の発光時間を長くすることができるため、不正行為が行われていることの発見を容易とすることができる。
【０１７２】
また、第２の実施形態によれば、第２規定時間はメダルが投入センサ92を連続して通過する際の最短時間以下とされている。そのため、第２の実施形態によれば、第２規定時間が必要以上に長くなりすぎないので、不必要に投入ランプ350が発光していることがなく、他の演出を邪魔することがない。
【０１７３】
また、第２の実施形態によれば、第１規定時間は第２規定時間の３倍以上とされている。そのため、第２の実施形態によれば、第１規定時間を第２規定時間の３倍未満とした構成に比べて、白色の発光時間を長くすることができるため、不正行為が行われていることの発見を容易とすることができる。
【０１７４】
（第２の実施形態の変形例）
第２の実施形態では、投入ランプ350の前回の発光時を「前色のＬＥＤの発光時」であるとして説明したが、投入ランプ350の前回の発光時を「前回の同種のＬＥＤの発光時」としてもよい。
投入ランプ350の前回の発光時を「前回の同種のＬＥＤの発光時」とした場合には、第２規定時間を第１規定時間と同様にすることが望ましい。投入ランプ350の前回の発光時を「前回の同種のＬＥＤの発光時」とした場合、第２規定時間と第１規定時間とが同様であれば、たとえば、赤色発光用ＬＥＤを第１規定時間発光させた後に次の赤色発光信号が送信されることとなり、赤色発光用ＬＥＤの最大発光時間を確保することができる。
【０１７５】
（第３の実施形態）
以下、本実施の形態の第３の実施形態を第１及び第２の実施形態と重複する部分は説明を省略して説明する。
【０１７６】
（発光制御手段300）
第３の実施形態における発光制御手段300は、投入センサ92による検知信号を受信手段310が連続して受信した場合に行う処理が第１及び第２の実施形態と異なっている。この第３の実施形態における発光制御手段300の処理については、後述する第３の実施形態における投入演出の説明にて説明する。
【０１７７】
また、第３の実施形態におけるカウント手段330は、複数のカウンタとして、第１及び第２の実施形態において備える各種のカウンタに加え、第１規定時間に加算される所定の加算時間としての加算規定時間をカウントするための複数の「加算カウンタ」を備えている。この複数の「加算カウンタ」は、各々のＬＥＤに対応して設けられており、赤色発光用ＬＥＤに対応する「赤色加算カウンタ」と、緑色発光用ＬＥＤに対応する「緑色加算カウンタ」と、青色発光用ＬＥＤに対応する「青色加算カウンタ」とがある。
【０１７８】
このカウント手段330は、受信手段310が検知信号を受信した際、投入ランプ350の前回の発光時、具体的には、前回の同種のＬＥＤの発光時から第２規定時間を経過していないと判定した場合、加算規定時間に相当する加算カウント値を対応するＬＥＤの加算カウンタに設定する。この加算規定時間は、第３の実施形態では「１秒間」とされている。なお、加算規定時間は「１秒間」に限らず、これより長くても短くてもよい。また、第３の実施形態では、加算規定時間を一律に「１秒間」としているが、これには限られない。たとえば、加算規定時間を変動可能として、受信手段310が検知信号を受信した際の投入ランプ350の前回の発光時からの第２規定時間の経過度合いに応じて加算規定時間の多寡を変動させてもよい。
【０１７９】
ここで、カウント手段330が備える複数のカウンタのうち、各々のＬＥＤの第１規定時間をカウントする第１規定時間カウンタは、第１の実施形態と同様、第１規定時間をカウント中に、受信手段310が新たな検知信号を受信し、送信手段320により投入ランプ350に現在カウント中の第１規定時間の発光信号と同種の発光信号が送信された場合には、当該送信された発光信号に対応するカウント値が「０」にリセットされる。
【０１８０】
一方、カウント手段330が備える複数のカウンタのうち、「加算カウンタ」は、第１規定時間カウンタのカウント値が「０」にリセットされても、当該加算カウンタの加算カウント値は「０」にリセットされない。つまり、加算カウンタは、設定された加算カウント値がカウントされて消費されることによってのみ「０」になる。
【０１８１】
また、カウント手段330は、「第１規定時間カウンタ」と「加算カウンタ」とのうち、「第１規定時間カウンタ」のカウント値を優先してカウントすることとされている。具体的には、赤色加算カウンタの「赤色加算カウント値」は、赤色カウンタの「赤色カウント値」が「０」になった後にカウントが開始され、緑色加算カウンタの「緑色加算カウント値」は、緑色カウンタの「緑色カウント値」が「０」になった後にカウントが開始され、青色加算カウンタの「青色加算カウント値」は、青色カウンタの「青色カウント値」が「０」になった後にカウントが開始される。
【０１８２】
また、第３の実施形態におけるカウント手段330は、複数の第２規定時間をカウントするための複数の第２規定時間カウンタを備えており、「第１カウンタ」と、「第２カウンタ」と、「第３カウンタ」と、がある。第３の実施形態では、カウント手段330は、第１カウンタにて第２規定時間Ｔ１及び第２規定時間Ｔ２のカウントを行い、第２カウンタにて第２規定時間Ｔ３及び第２規定時間Ｔ４のカウントを行い、第３カウンタにて第２規定時間Ｔ５及び第２規定時間Ｔ６のカウントを行う（図６参照）。
【０１８３】
（第３の実施形態における投入演出の説明）
図６に示すように、受信手段310は、投入センサ92による検知信号を９回連続して受信したものとする。
カウント手段330は、受信手段310が第１検知信号を受信したことに基づき、前回の赤色発光用ＬＥＤの発光時から第２規定時間が経過していないか否かの判定を行う。
【０１８４】
このとき、図６に示すように、第３の実施形態では、受信手段310が第１検知信号を受信する前において赤色発光用ＬＥＤは点灯していない。そのため、カウント手段330は、前回の赤色発光用ＬＥＤの発光時から第２規定時間を経過していると判定する。その結果、カウント手段330は、受信手段310が第１検知信号を受信したことに基づき、送信手段320により投入ランプ350に「赤色発光信号Ｒ１」が送信された時点から、「赤色カウンタ」のカウントを開始する。また、カウント手段330は、送信手段320により投入ランプ350に「赤色発光信号Ｒ１」が送信された時点から第１カウンタを用いて、第２規定時間Ｔ１のカウントを開始する。
【０１８５】
次に、カウント手段330は、受信手段310が第２検知信号を受信したことに基づき、前回の緑色発光用ＬＥＤの発光時から第２規定時間が経過していないか否かの判定を行う。
このとき、図６に示すように、第３の実施形態では、受信手段310が第２検知信号を受信する前において緑色発光用ＬＥＤは点灯していない。そのため、カウント手段330は、前回の緑色発光用ＬＥＤの発光時から第２規定時間を経過していると判定する。その結果、カウント手段330は、受信手段310が第２検知信号を受信したことに基づき、送信手段320により投入ランプ350に「緑色発光信号Ｇ１」が送信された時点から、「緑色カウンタ」のカウントを開始する。また、カウント手段330は、送信手段320により投入ランプ350に「緑色発光信号Ｇ１」が送信された時点から第２カウンタを用いて、第２規定時間Ｔ３のカウントを開始する。
【０１８６】
続いて、カウント手段330は、受信手段310が第３検知信号を受信したことに基づき、前回の青色発光用ＬＥＤの発光時から第２規定時間が経過していないか否かの判定を行う。
このとき、図６に示すように、第３の実施形態では、受信手段310が第３検知信号を受信する前において青色発光用ＬＥＤは点灯していない。そのため、カウント手段330は、前回の青色発光用ＬＥＤの発光時から第２規定時間を経過していると判定する。その結果、カウント手段330は、受信手段310が第３検知信号を受信したことに基づき、送信手段320により投入ランプ350に「青色発光信号Ｂ１」が送信された時点から、「青色カウンタ」のカウントを開始する。また、カウント手段330は、送信手段320により投入ランプ350に「青色発光信号Ｂ１」が送信された時点から第３カウンタを用いて、第２規定時間Ｔ５のカウントを開始する。
【０１８７】
そして、カウント手段330は、受信手段310が第４検知信号を受信したことに基づき、送信手段320により投入ランプ350に「赤色発光信号Ｒ２」が送信された場合、現在の「赤色カウンタ」のカウント値を「０」にリセットする。
【０１８８】
また、カウント手段330は、受信手段310が第４検知信号を受信したことに基づき、前回の赤色発光用ＬＥＤの発光時、すなわち、送信手段320により投入ランプ350に「赤色発光信号Ｒ１」が送信された時点から第２規定時間Ｔ１が経過していないか否かの判定を行う。
【０１８９】
このとき、図６に示すように、第３の実施形態では、受信手段310が第４検知信号を受信した際、送信手段320により投入ランプ350に「赤色発光信号Ｒ１」が送信された時点から第２規定時間Ｔ１を経過していない。そのため、カウント手段330は、送信手段320により投入ランプ350に「赤色発光信号Ｒ１」が送信された時点から第２規定時間Ｔ１を経過していないと判定する。その結果、カウント手段330は、加算規定時間としての赤色加算カウント値Ｓ１を赤色加算カウンタに設定する。
【０１９０】
その後、カウント手段330は、「赤色発光信号Ｒ２」が送信された時点から、再度「赤色カウンタ」のカウントを開始する。また、カウント手段330は、第１カウンタによる第２規定時間Ｔ１のカウントを停止し、送信手段320により投入ランプ350に「赤色発光信号Ｒ２」が送信された時点から第１カウンタを用いて、第２規定時間Ｔ２のカウントを開始する。
【０１９１】
次に、カウント手段330は、受信手段310が第５検知信号を受信したことに基づき、送信手段320により投入ランプ350に「緑色発光信号Ｇ２」が送信された場合、現在の「緑色カウンタ」のカウント値を「０」にリセットする。
【０１９２】
また、カウント手段330は、受信手段310が第５検知信号を受信したことに基づき、前回の緑色発光用ＬＥＤの発光時、すなわち、送信手段320により投入ランプ350に「緑色発光信号Ｇ１」が送信された時点から第２規定時間Ｔ３が経過していないか否かの判定を行う。
【０１９３】
このとき、図６に示すように、第３の実施形態では、受信手段310が第５検知信号を受信した際、送信手段320により投入ランプ350に「緑色発光信号Ｇ１」が送信された時点から第２規定時間Ｔ３を経過していない。そのため、カウント手段330は、送信手段320により投入ランプ350に「緑色発光信号Ｇ１」が送信された時点から第２規定時間Ｔ３を経過していないと判定する。その結果、カウント手段330は、加算規定時間としての緑色加算カウント値Ｓ３を緑色加算カウンタに設定する。
【０１９４】
その後、カウント手段330は、「緑色発光信号Ｇ２」が送信された時点から、再度「緑色カウンタ」のカウントを開始する。また、カウント手段330は、第２カウンタによる第２規定時間Ｔ３のカウントを停止し、送信手段320により投入ランプ350に「緑色発光信号Ｇ２」が送信された時点から第２カウンタを用いて、第２規定時間Ｔ４のカウントを開始する。
【０１９５】
続いて、カウント手段330は、受信手段310が第６検知信号を受信したことに基づき、送信手段320により投入ランプ350に「青色発光信号Ｂ２」が送信された場合、現在の「青色カウンタ」のカウント値を「０」にリセットする。
また、カウント手段330は、受信手段310が第６検知信号を受信したことに基づき、前回の青色発光用ＬＥＤの発光時、すなわち、送信手段320により投入ランプ350に「青色発光信号Ｂ１」が送信された時点から第２規定時間Ｔ５が経過していないか否かの判定を行う。
【０１９６】
このとき、図６に示すように、第３の実施形態では、受信手段310が第６検知信号を受信した際、送信手段320により投入ランプ350に「青色発光信号Ｂ１」が送信された時点から第２規定時間Ｔ５を経過していない。そのため、カウント手段330は、送信手段320により投入ランプ350に「青色発光信号Ｂ１」が送信された時点から第２規定時間Ｔ５を経過していないと判定する。その結果、カウント手段330は、加算規定時間としての青色加算カウント値Ｓ５を青色加算カウンタに設定する。
【０１９７】
その後、カウント手段330は、「青色発光信号Ｂ２」が送信された時点から、再度「青色カウンタ」のカウントを開始する。また、カウント手段330は、第３カウンタによる第２規定時間Ｔ５のカウントを停止し、送信手段320により投入ランプ350に「青色発光信号Ｂ２」が送信された時点から第３カウンタを用いて、第２規定時間Ｔ６のカウントを開始する。
【０１９８】
そして、カウント手段330は、受信手段310が第７検知信号を受信したことに基づき、送信手段320により投入ランプ350に「赤色発光信号Ｒ３」が送信された場合、現在の「赤色カウンタ」のカウント値を「０」にリセットする。
【０１９９】
また、カウント手段330は、受信手段310が第７検知信号を受信したことに基づき、前回の赤色発光用ＬＥＤの発光時、すなわち、送信手段320により投入ランプ350に「赤色発光信号Ｒ２」が送信された時点から第２規定時間Ｔ２が経過していないか否かの判定を行う。
【０２００】
このとき、図６に示すように、第３の実施形態では、受信手段310が第７検知信号を受信した際、送信手段320により投入ランプ350に「赤色発光信号Ｒ２」が送信された時点から第２規定時間Ｔ２を経過していない。そのため、カウント手段330は、送信手段320により投入ランプ350に「赤色発光信号Ｒ２」が送信された時点から第２規定時間Ｔ２を経過していないと判定する。その結果、カウント手段330は、加算規定時間としての赤色加算カウント値Ｓ２を赤色加算カウンタに設定する。これにより、赤色加算カウンタには、赤色加算カウント値Ｓ１に赤色加算カウント値Ｓ２を加えた「２秒間」の加算規定時間が設定されている。
【０２０１】
その後、カウント手段330は、「赤色発光信号Ｒ３」が送信された時点から、再度「赤色カウンタ」のカウントを開始する。そして、カウント手段330は「赤色カウンタ」のカウント値が「０」になった後、「赤色加算カウンタ」のカウントを開始する。
【０２０２】
次に、カウント手段330は、受信手段310が第８検知信号を受信したことに基づき、送信手段320により投入ランプ350に「緑色発光信号Ｇ３」が送信された場合、現在の「緑色カウンタ」のカウント値を「０」にリセットする。
また、カウント手段330は、受信手段310が第８検知信号を受信したことに基づき、前回の緑色発光用ＬＥＤの発光時、すなわち、送信手段320により投入ランプ350に「緑色発光信号Ｇ２」が送信された時点から第２規定時間Ｔ４が経過していないか否かの判定を行う。
【０２０３】
このとき、図６に示すように、第３の実施形態では、受信手段310が第８検知信号を受信した際、送信手段320により投入ランプ350に「緑色発光信号Ｇ２」が送信された時点から第２規定時間Ｔ４を経過していない。そのため、カウント手段330は、送信手段320により投入ランプ350に「緑色発光信号Ｇ２」が送信された時点から第２規定時間Ｔ４を経過していないと判定する。その結果、カウント手段330は、加算規定時間としての緑色加算カウント値Ｓ４を緑色加算カウンタに設定する。これにより、緑色加算カウンタには、緑色加算カウント値Ｓ３に緑色加算カウント値Ｓ４を加えた「２秒間」の加算規定時間が設定されている。
【０２０４】
その後、カウント手段330は、「緑色発光信号Ｇ３」が送信された時点から、再度「緑色カウンタ」のカウントを開始する。そして、カウント手段330は「緑色カウンタ」のカウント値が「０」になった後、「緑色加算カウンタ」のカウントを開始する。
【０２０５】
続いて、カウント手段330は、受信手段310が第９検知信号を受信したことに基づき、送信手段320により投入ランプ350に「青色発光信号Ｂ３」が送信された場合、現在の「青色カウンタ」のカウント値を「０」にリセットする。
【０２０６】
また、カウント手段330は、受信手段310が第９検知信号を受信したことに基づき、前回の青色発光用ＬＥＤの発光時、すなわち、送信手段320により投入ランプ350に「青色発光信号Ｂ２」が送信された時点から第２規定時間Ｔ６が経過していないか否かの判定を行う。
【０２０７】
このとき、図６に示すように、第３の実施形態では、受信手段310が第９検知信号を受信した際、送信手段320により投入ランプ350に「青色発光信号Ｂ２」が送信された時点から第２規定時間Ｔ６を経過していない。そのため、カウント手段330は、送信手段320により投入ランプ350に「青色発光信号Ｂ２」が送信された時点から第２規定時間Ｔ６を経過していないと判定する。その結果、カウント手段330は、加算規定時間としての青色加算カウント値Ｓ６を青色加算カウンタに設定する。これにより、青色加算カウンタには、青色加算カウント値Ｓ５に青色加算カウント値Ｓ６を加えた「２秒間」の加算規定時間が設定されている。
【０２０８】
その後、カウント手段330は、「青色発光信号Ｂ３」が送信された時点から、再度「青色カウンタ」のカウントを開始する。そして、カウント手段330は「青色カウンタ」のカウント値が「０」になった後、「青色加算カウンタ」のカウントを開始する。
【０２０９】
以上説明したように、第３の実施形態におけるカウント手段330は、受信手段310が検知信号を受信した際、投入ランプ350の前回の発光時、具体的には、前回の同種のＬＥＤの発光時から第２規定時間を経過していないと判定した場合には、加算規定時間に相当する加算カウント値を対応するＬＥＤの加算カウンタに設定する。
【０２１０】
続いて、投入ランプ350の発光態様の変化について説明する。
図６に示すように、投入ランプ350は、送信手段320により赤色発光信号Ｒ１〜Ｒ３が送信されている間、赤色発光用ＬＥＤを発光している。
ここで、送信手段320による赤色発光信号Ｒ１は、受信手段310が第１検知信号を受信したことに基づいて、第１規定時間、投入ランプ350に送信されるため、投入ランプ350は赤色発光信号Ｒ１が送信された時点から第１規定時間、赤色発光用ＬＥＤを発光可能とされている。
【０２１１】
このとき、第３の実施形態では、赤色発光信号Ｒ１が送信された時点から第１規定時間を経過する前に、受信手段310が第４検知信号を受信している。そのため、送信手段320は、受信手段310が第４検知信号を受信したことに基づいて、赤色発光信号Ｒ２を第１規定時間、投入ランプ350に送信する。これにより、カウント手段330は、現在の「赤色カウンタ」のカウント値を「０」にリセットする。
【０２１２】
ただし、第３の実施形態では、受信手段310が第４検知信号を受信した際、送信手段320により投入ランプ350に「赤色発光信号Ｒ１」が送信された時点から第２規定時間Ｔ１を経過しておらず、カウント手段330により送信手段320により投入ランプ350に「赤色発光信号Ｒ１」が送信された時点から第２規定時間Ｔ１を経過していないと判定される。そのため、第３の実施形態では、カウント手段330により、加算規定時間としての赤色加算カウント値Ｓ１が赤色加算カウンタに設定される。その後、カウント手段330は、「赤色発光信号Ｒ２」が送信された時点から、再度「赤色カウンタ」のカウントを開始する。
【０２１３】
また、第３の実施形態では、赤色発光信号Ｒ２が送信された時点から第１規定時間を経過する前に、受信手段310が第７検知信号を受信している。そのため、送信手段320は、受信手段310が第７検知信号を受信したことに基づいて、赤色発光信号Ｒ３を第１規定時間、投入ランプ350に送信する。これにより、カウント手段330は、現在の「赤色カウンタ」のカウント値を「０」にリセットする。
【０２１４】
ただし、第３の実施形態では、受信手段310が第７検知信号を受信した際、送信手段320により投入ランプ350に「赤色発光信号Ｒ２」が送信された時点から第２規定時間Ｔ２を経過しておらず、カウント手段330により送信手段320により投入ランプ350に「赤色発光信号Ｒ２」が送信された時点から第２規定時間Ｔ２を経過していないと判定される。そのため、第３の実施形態では、カウント手段330により、加算規定時間としての赤色加算カウント値Ｓ２が赤色加算カウンタに設定される。その後、カウント手段330は、「赤色発光信号Ｒ３」が送信された時点から、再度「赤色カウンタ」のカウントを開始する。
【０２１５】
そして、カウント手段330は、「赤色カウンタ」のカウント値が「０」になった後、「赤色加算カウンタ」のカウントを開始する。そのため、図６に示すように、送信手段320は、受信手段310が第７検知信号を受信したことに基づいて、第１規定時間に加算規定時間（赤色加算カウント値Ｓ１＋赤色加算カウント値Ｓ２）を加えた特別第１規定時間（３．５秒間）、赤色発光信号Ｒ３を送信する。
【０２１６】
つまり、第３の実施形態では、投入ランプ350は、赤色発光信号Ｒ１が送信された時点を起点として、赤色発光信号Ｒ３が送信された時点から特別第１規定時間を経過するまで、赤色発光用ＬＥＤを発光することとなる。
【０２１７】
次に、投入ランプ350は、送信手段320により緑色発光信号Ｇ１〜Ｇ３が送信されている間、緑色発光用ＬＥＤを発光している。そして、緑色発光信号も上述の赤色発光信号と同様に、送信手段320は、受信手段310が第８検知信号を受信したことに基づいて、第１規定時間に加算規定時間（緑色加算カウント値Ｓ３＋緑色加算カウント値Ｓ４）を加えた特別第１規定時間（３．５秒間）、緑色発光信号Ｇ３を送信する。
【０２１８】
つまり、第３の実施形態では、投入ランプ350は、緑色発光信号Ｇ１が送信された時点を起点として、緑色発光信号Ｇ３が送信された時点から特別第１規定時間を経過するまで、緑色発光用ＬＥＤを発光することとなる。
【０２１９】
続いて、投入ランプ350は、送信手段320により青色発光信号Ｂ１〜Ｂ３が送信されている間、青色発光用ＬＥＤを発光している。そして、青色発光信号も上述の赤色発光信号及び緑色発光信号と同様に、送信手段320は、受信手段310が第９検知信号を受信したことに基づいて、第１規定時間に加算規定時間（青色加算カウント値Ｓ５＋青色加算カウント値Ｓ６）を加えた特別第１規定時間（３．５秒間）、青色発光信号Ｂ３を送信する。
【０２２０】
つまり、第３の実施形態では、投入ランプ350は、青色発光信号Ｂ１が送信された時点を起点として、青色発光信号Ｂ３が送信された時点から特別第１規定時間を経過するまで、青色発光用ＬＥＤを発光することとなる。
【０２２１】
第３の実施形態では、上記で説明した期間において、投入ランプ350は、投入ランプ350を構成する複数のＬＥＤを「赤色」、「緑色」及び「青色」で発光させている。そして、図６に示すように、青色発光信号Ｂ１が送信された時点を起点として、赤色発光信号Ｒ３が送信された時点から特別第１規定時間が経過するまでの間は、赤色発光用ＬＥＤ、緑色発光用ＬＥＤ及び青色発光用ＬＥＤの全てが発光している。そのため、「赤色」、「緑色」及び「青色」の発光色が混ざり合い、ＲＧＢ（２５５，２５５，２５５）となることにより、投入ランプ350の発光色は「白色」となる。
【０２２２】
（第３の実施形態の作用効果）
第３の実施形態における回胴式遊技機10は、第１及び第２の実施形態における回胴式遊技機10の作用効果に加え、以下の作用効果を奏する。
第３の実施形態によれば、発光制御手段300が検知信号を受信した際、投入ランプ350の前回の発光時から第２規定時間を経過していない場合は、第１規定時間に所定の加算時間を加えた特別第１規定時間、発光信号を送信することとされている。そのため、第３の実施形態によれば、投入ランプ350の前回の発光時から第２規定時間を経過していない場合、第１規定時間に所定の加算時間を加えない構成に比べて、発光制御手段300による発光信号の送信時間を長くすることができる。これにより、第３の実施形態によれば、投入ランプ350による白色の発光時間を長くすることができるため、不正行為が行われていることの発見を容易とすることができる。
【０２２３】
（第３の実施形態の変形例）
第３の実施形態では、投入ランプ350の前回の発光時を「前回の同種のＬＥＤの発光時」であるとして説明したが、投入ランプ350の前回の発光時を「前色のＬＥＤの発光時」としてもよい。
投入ランプ350の前回の発光時を「前色のＬＥＤの発光時」とした場合、発光制御手段300は、検知信号を受信した際、投入ランプ350の前色のＬＥＤの発光時から第２規定時間を経過していない場合は、前色の発光信号の送信時間に所定の加算時間を加え、所定の加算時間を加えた規定送信時間、前色の発光信号を送信することとされている。
【０２２４】
（第４の実施形態）
以下、本実施の形態の第４の実施形態を第１、第２及び第３の実施形態と重複する部分は説明を省略して説明する。
第４の実施形態に係る回胴式遊技機10は、第１、第２及び第３の実施形態と異なり、サブ制御手段500により送信される演出信号と発光制御手段300により送信される発光信号とが所定の契機で切り替えられて、演出信号と発光信号とのうちの何れかの信号が演出用ランプ78に送信されることとされている。
【０２２５】
（演出装置70）
図７に示すように、前扉14には、遊技者に役抽選の当選等の種々の情報を音や光や映像等で報知させるための演出装置70が形成されている。この演出装置70は、スピーカー72と、演出用ランプ78と、表示装置84とを備えている。
【０２２６】
（演出用ランプ78）
演出用ランプ78は、前扉14の上部に配置された上部ランプ80と、前扉14の下部の左右に配置された下部ランプ82とを備えている。
この演出用ランプ78は、フルカラーで発光可能な複数個のＬＥＤから構成されている。第４の実施形態における演出用ランプ78を構成するＬＥＤの個数は、３の倍数で構成されている。なお、演出用ランプ78を構成するＬＥＤの個数は３の倍数に限らず、他の倍数としてもよい。
【０２２７】
ここで、演出用ランプ78は、サブ制御手段500がメイン制御手段200により送信された後述するサブ制御信号を受信したことに基づいて送信する演出信号を受信したこと又はメイン制御手段200及びサブ制御手段500を経由せず、発光制御手段300により送信される検知信号に基づく信号としての発光信号を受信したことに基づいて発光する。演出用ランプ78に送信される演出信号と発光信号との切り替えはメイン制御手段200により制御されるが、この詳細については後述する。なお、第４の実施形態における「演出用ランプ78」は、本発明における「発光装置」に相当する。
【０２２８】
また、演出用ランプ78は、発光信号を受信したことに基づいて、投入されたメダルの１枚毎に発光態様を変化させて発光する。この演出用ランプ78は、発光制御手段300による発光信号の受信中は発光を継続し、発光制御手段300が発光信号の送信を停止した場合に発光を停止する。
【０２２９】
ここで、演出用ランプ78は、メダルが１枚投入される毎に光の三原色を一定の順序で発光させており、投入センサ92が３枚のメダルの検知を行うことを１周期として、１周期単位で一定の順序の発光を繰り返している。なお、第４の実施形態における「一定の順序」は、第１、第２及び第３の実施形態における「一定の順序」と同様のため、説明は省略する。
【０２３０】
（メイン制御手段200）
第４の実施形態におけるメイン制御手段200は、遊技の進行に関する制御を行い、検知信号を受信して、制御信号を送信するものである。第４の実施形態における制御信号には、図８に示すように、検知信号を受信したことに基づいて図示しない信号変換器に送信され、演出信号と発光信号とのうち、演出用ランプ78に送信される信号を切り替える切替信号と、サブ制御手段500に演出信号を送信させるためのサブ制御信号とがある。このサブ制御信号は、メイン制御手段200の制御により、検知信号の受信の有無とは独立してサブ制御手段500に送信されるものである。
【０２３１】
このとき、メイン制御手段200は、基本的には、演出信号と発光信号とのうち演出信号が演出用ランプ78に送信されるように制御している。具体的には、図示しない信号変換器は、演出信号と発光信号とのうち演出信号が演出用ランプ78に送信されるように接続しており、メイン制御手段200による切替信号を受信したことに基づいて、演出信号と発光信号との接続を切り替えることとしている。なお、切替信号を送信するのはメイン制御手段200に限られず、発光制御手段300が切替信号を送信することとしてもよい。
【０２３２】
演出信号から発光信号への切り替え契機としては、遊技者がメダル投入口38にメダルを投入したことに基づいて、投入センサ92からメイン制御手段200に検知信号が送信された場合である。この場合、当該検知信号を受信したメイン制御手段200は、図示しない信号変換器に切替信号を送信する。そして、当該切替信号を受信した図示しない信号変換器は、演出用ランプ78に送信される信号を演出信号から発光信号へと切り替える。
【０２３３】
また、発光信号から演出信号への切り替え契機としては、発光信号を受信したことに基づいて演出用ランプ78が発光する投入演出が終了した場合である。この場合、投入演出が終了したことに基づいてメイン制御手段200は、図示しない信号変換器に切替信号を送信する。そして、当該切替信号を受信した図示しない信号変換器は、演出用ランプ78に送信される信号を発光信号から演出信号へと切り替える。
【０２３４】
なお、基本的には、演出信号と発光信号とのうち発光信号が演出用ランプ78に送信されることとしてもよいし、図示しない信号変換器に切替信号を送信するのは、メイン制御手段200でなくサブ制御手段500であってもよい。この場合、サブ制御手段500の制御に基づいて演出を行うことが決定し、投入センサ92からメイン制御手段200に検知信号が送信されておらず、演出用ランプ78を用いた発光演出が行われていないときには、サブ制御手段500は、図示しない信号変換器に切替信号を送信することとしてもよい。
【０２３５】
（第４の実施形態における投入演出の説明）
以下、図８を参照して、メダル投入口38にメダルが投入されたことに基づいて行われる投入演出について説明する。
なお、第４の実施形態において、発光制御手段300により行われる制御については第１、第２又は第３の実施形態と同様のため、説明を省略する。つまり、第４の実施形態において発光制御手段300により行われる制御については、第１、第２又は第３の実施形態にて説明した何れの態様をも採用することができる。
以下では、メイン制御手段200により行われる演出用ランプ78に送信される演出信号と発光信号との切り替えの制御について説明する。
【０２３６】
図示しない信号変換器は、演出信号と発光信号とのうち演出信号が演出用ランプ78に送信されるように接続しており、メイン制御手段200により演出用ランプ78に送信される信号が演出信号から発光信号へと切り替わる切替信号が送信されない限り、演出用ランプ78には演出信号が送信される。
【０２３７】
この場合には、サブ制御手段500の制御に基づいて演出用ランプ78を発光させ、演出用ランプ78を用いた発光演出が行われる。
具体的には、メイン制御手段200からサブ制御手段500にサブ制御信号を送信し、サブ制御信号を受信したサブ制御手段500が演出用ランプ78に演出信号を送信する。そして、演出信号を受信した演出用ランプ78は、受信した演出信号に基づく発光態様で各種のＬＥＤを点灯／消灯させて発光演出を行う。
【０２３８】
また、メイン制御手段200は、遊技者がメダル投入口38にメダルを投入したことに基づいて、投入センサ92からメイン制御手段200に検知信号が送信された場合には、図示しない信号変換器に切替信号を送信する。その後、メイン制御手段200による切替信号を受信した図示しない信号変換器は、演出用ランプ78に送信される信号を演出信号から発光信号へと変換する。
【０２３９】
ここで、投入センサ92による検知信号がメイン制御手段200に送信される際には、受信手段310にも投入センサ92による検知信号が送信されており、受信手段310は投入センサ92による検知信号を受信している（図８参照）。
【０２４０】
そして、送信手段320は、受信手段310が検知信号を受信したことに基づいて、演出用ランプ78に発光信号を第１規定時間送信する。その後、発光信号を受信した演出用ランプ78は、受信した発光信号に基づく発光態様で各種のＬＥＤを点灯／消灯させて投入演出を行う。なお、メイン制御手段200は、投入演出が終了したことに基づいて、図示しない信号変換器に切替信号を送信する。そして、当該切替信号を受信した図示しない信号変換器は、演出用ランプ78に送信される信号を発光信号から演出信号へと切り替える。
【０２４１】
（第４の実施形態の作用効果）
第４の実施形態における回胴式遊技機10は、第１、第２又は第３の実施形態における回胴式遊技機10の作用効果に加え、以下の作用効果を奏する。
【０２４２】
第４の実施形態では、第１、第２及び第３の実施形態と異なり、発光制御手段300により送信される発光信号を専用で受信する投入ランプ350を備えていない。そのため、第４の実施形態によれば、演出用ランプ78に送信される信号を演出信号と発光信号との中で切り替えることにより、別途、新たなランプを備えることなく、既存の演出用ランプ78に新たな機能を付加することができる。
【０２４３】
これにより、第４の実施形態によれば、別途、新たなランプを備える構成に比べて、簡素な構成にて、投入による不正行為を発見可能な回胴式遊技機10を提供することができる。
【符号の説明】
【０２４４】
10  回胴式遊技機                        12  筐体
14  前扉                                16  図柄表示窓部
17  メダルセレクタ                      18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  シングルベットスイッチ
36  精算スイッチ                        38  メダル投入口
40  スタートスイッチ                    42  演出用ボタンスイッチ
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  回転リール                          63  リール位置センサ
64  左回転リール                        65  リール駆動モータ
66  中回転リール                        67  バックランプ
68  右回転リール                        70  演出装置
72  スピーカー                          74  上部スピーカー
76  下部スピーカー                      78  演出用ランプ
80  上部ランプ                          82  下部ランプ
84  表示装置                            86  有効ライン
87  クレジット表示器                    88  払出枚数表示器
89  設定表示器                          92  投入センサ
94  払出センサ                          95  ホッパーモータ
96  オーバーフローセンサ
100  制御装置
200  メイン制御手段                     300  発光制御手段
350  投入ランプ                         400  受光手段
500  サブ制御手段
【図１】
2018094289.tif 000003
【図２】
2018094289.tif 000004
【図３】
2018094289.tif 000005
【図４】
2018094289.tif 000006
【図５】
2018094289.tif 000007
【図６】
2018094289.tif 000008
【図７】
2018094289.tif 000009
【図８】
2018094289.tif 000010